(57)【要約】  本発明の実施形態は、データの境界を決定する方法、指示情報を送信する方法、及びそれらの装置を開示する。境界を決定する方法は、非基準セルの置かれた基地局が、基準セルのタイミング情報を取得するか、又は非基準セルの置かれた基地局が、高速専有物理制御チャネル（ＨＳ−ＤＰＣＣＨ）の境界情報を決定するために使用されるパラメータを取得するステップと、基地局が、基準セルのタイミング情報又はパラメータにしたがってＨＳ−ＤＰＣＣＨの境界情報を決定するステップとを含み、境界情報は、ＨＳ−ＤＰＣＣＨを探索するために基地局によって使用される。本発明は、非基準セルの置かれた基地局がＨＳ−ＤＰＣＣＨの正確な境界を見つけ出すことができず、したがって、下りリンクのデータ送信の性能の低下をもたらす従来技術の技術的課題を解決する。
2015516129.tif 000002
【特許請求の範囲】
【請求項１】
データの境界を決定する方法であって、
非基準セルの置かれた基地局によって、基準セルのタイミング情報を取得するか、又は前記非基準セルの置かれた基地局によって、高速専有物理制御チャネル（ＨＳ−ＤＰＣＣＨ）の境界情報を決定するために使用されるパラメータを取得するステップと、
前記基地局が、前記基準セルの前記タイミング情報又は前記パラメータにしたがって前記ＨＳ−ＤＰＣＣＨの前記境界情報を決定するステップとを含む、方法。
【請求項２】
請求項１に記載の方法であって、
前記基地局が、前記基準セルの前記タイミング情報を取得するか、又は前記基地局が、前記ＨＳ−ＤＰＣＣＨの前記境界情報を決定するために使用される前記パラメータを取得する前記ステップが、特に、
前記基地局が、ネットワークによって送信された前記基準セルの前記タイミング情報を受信するか、若しくは前記基地局が、前記ＨＳ−ＤＰＣＣＨの前記境界情報を決定するために使用される前記パラメータを取得するステップ、又は
前記基準セルの前記タイミング情報を取得するか、又は、前記ネットワークによって送信され、前記ＨＳ−ＤＰＣＣＨの前記境界情報を決定するために使用される前記パラメータを受信する要求を前記基地局が前記ネットワークに送信し、前記基地局が、前記ネットワークによって送信される前記基準セルの前記タイミング情報若しくは前記ＨＳ−ＤＰＣＣＨの前記境界情報を決定するために使用される前記パラメータを含む応答を受信するステップを含む、
方法。
【請求項３】
請求項１又は２に記載の方法であって、
前記基準セルの前記タイミング情報が、前記基準セルの間欠受信ＤＲＸタイミング情報τＤＲＸ１を含み、前記τＤＲＸ１が、フラクショナル専有物理チャネル（Ｆ−ＤＰＣＨ）と高速共有制御チャネル（ＨＳ−ＳＣＣＨ）との間のタイミングのずれであり、
前記基地局が、前記基準セルの前記タイミング情報にしたがって前記ＨＳ−ＤＰＣＣＨの前記境界情報を決定する前記ステップが、特に、
前記基地局が、前記基準セルの前記τＤＲＸ１に対応するＦ−ＤＰＣＨにしたがって前記ＨＳ−ＳＣＣＨの境界を探索するステップと、
前記基地局が、前記ＨＳ−ＳＣＣＨの見つかった境界を開始点として使用し、前記基地局が、前記ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報を前記ＨＳ−ＤＰＣＣＨの前記境界情報として決定するステップとを含む、
方法。
【請求項４】
請求項１又は２に記載の方法であって、
前記ＨＳ−ＤＰＣＣＨの前記境界情報を決定するために使用される前記パラメータが、前記基準セルと前記非基準セルとの間のＤＲＸタイミング情報の差ΔτＤＲＸであり、
前記基地局が、前記パラメータにしたがって前記ＨＳ−ＤＰＣＣＨの前記境界情報を決定する前記ステップが、特に、
前記基地局が、前記ΔτＤＲＸ及び前記基地局自体のＤＲＸタイミング情報τＤＲＸ２にしたがって計算を実行して前記基準セルのＤＲＸタイミング情報τＤＲＸ１を取得し、前記基地局が、前記基準セルの前記τＤＲＸ１に対応するＦ−ＤＰＣＨにしたがってＨＳ−ＳＣＣＨの境界情報を見つけ出し、前記基地局が、前記ＨＳ−ＳＣＣＨの見つかった境界を開始点として使用し、前記基地局が、前記ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報を前記ＨＳ−ＤＰＣＣＨの前記境界情報として決定するステップ、
又は
前記基地局が、式、
（外１８）
2015516129.tif 000020
にしたがって前記ＨＳ−ＤＰＣＣＨの前記境界情報及び／若しくは前記ＨＳ−ＳＣＣＨの境界情報を取得するステップであって、記号
（外１９）
2015516129.tif 000021
が、次の整数に切り上げることを意味し、前記ＣＦＮ＿ＤＲＸと前記Ｓ＿ＤＲＸとの両方が、訂正前の前記非基準セルのＨＳ−ＤＰＣＣＨの値及び／若しくは前記非基準セルのＨＳ−ＳＣＣＨの値であり、前記ＣＦＮ＿ＤＲＸが、間欠受信状態におけるコネクション・フレーム番号であり、前記Ｓ＿ＤＲＸが、前記間欠受信状態におけるサブフレーム番号であり、
（外２０）
2015516129.tif 000022
が、間欠受信のサブフレームのオフセットである、取得するステップを含む、
方法。
【請求項５】
請求項１又は２に記載の方法であって、
前記ＨＳ−ＤＰＣＣＨの前記境界情報を決定するために使用される前記パラメータが、前記基準セルの間欠受信のオフセットＤＲＸ＿ＯＦＦＳＥＴを含み、
前記基地局が、前記パラメータにしたがって前記ＨＳ−ＤＰＣＣＨの前記境界情報を決定する前記ステップが、特に、
前記基地局が、式、５＊ＣＦＮ＿ＤＲＸ＋Ｓ＿ＤＲＸ＋ＤＲＸ＿ＯＦＦＳＥＴにしたがって前記ＨＳ−ＤＰＣＣＨの前記境界情報を取得するステップであって、前記ＣＦＮ＿ＤＲＸが、間欠受信状態におけるコネクション・フレーム番号であり、前記Ｓ＿ＤＲＸが、前記間欠受信状態におけるサブフレーム番号であり、前記ＤＲＸ＿ＯＦＦＳＥＴが、間欠受信のオフセットである、取得するステップを含む、
方法。
【請求項６】
請求項１又は２に記載の方法であって、
前記ＨＳ−ＤＰＣＣＨの前記境界情報を決定するために使用される前記基準セルの前記パラメータが、前記基準セルの上りリンク専有物理制御チャネルＤＰＣＣＨと前記基準セルの上りリンクＨＳ−ＤＰＣＣＨとの間のタイミングの関係を含み、前記上りリンクＤＰＣＣＨと前記上りリンクＨＳ−ＤＰＣＣＨとの間の前記タイミングの関係が、指定された下りリンクＨＳ−ＳＣＣＨのサブフレームに対応する上りリンクＤＰＣＣＨの送信の境界と前記ＨＳ−ＳＣＣＨに関してフィードバックされるＨＳ−ＤＰＣＣＨの境界との間のタイミングの差、又はＨＳ−ＳＣＣＨのデータに関して送信される前記上りリンクＤＰＣＣＨと前記ＨＳ−ＤＰＣＣＨとの間のタイミングの差であり、
前記基地局が、前記パラメータにしたがって前記ＨＳ−ＤＰＣＣＨの前記境界情報を決定する前記ステップが、特に、
前記基地局が、前記指定された下りリンクＨＳ−ＳＣＣＨのサブフレームに対応する前記上りリンクＤＰＣＣＨの送信の境界と前記ＨＳ−ＳＣＣＨに関してフィードバックされる前記ＨＳ−ＤＰＣＣＨの境界との間の前記タイミングの差、又はＨＳ−ＳＣＣＨのデータに関して送信される前記上りリンクＤＰＣＣＨと前記ＨＳ−ＤＰＣＣＨとの間の前記タイミングの差の検出を実行して、前記ＨＳ−ＤＰＣＣＨの前記境界情報を得るステップを含む、
方法。
【請求項７】
請求項１又は２に記載の方法であって、
前記ＨＳ−ＤＰＣＣＨの前記境界情報を決定するために使用される前記パラメータが、前記基準セルと前記非基準セルとの間のｍの差の情報Δｍであり、
前記基地局が、前記パラメータにしたがって前記ＨＳ−ＤＰＣＣＨの前記境界情報を決定する前記ステップが、特に、
前記基地局が、式、２５６＊Δｍ＝ΔτＤＲＸ及びΔτＤＲＸ＝前記非基準セルのτＤＲＸ２−前記基準セルのτＤＲＸ１にしたがって前記基準セルのτＤＲＸ１を取得するステップと、
前記基地局が、前記基準セルの前記τＤＲＸ１に対応するＦ−ＤＰＣＨにしたがってＨＳ−ＳＣＣＨの境界情報を見つけ出すステップと、
前記基地局が、前記ＨＳ−ＳＣＣＨの見つかった境界を開始点として使用し、前記基地局が、前記ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報を前記ＨＳ−ＤＰＣＣＨの前記境界情報として決定するステップとを含む、
方法。
【請求項８】
指示情報を送信する方法であって、
基準セルのタイミング情報、又は高速専有物理制御チャネル（ＨＳ−ＤＰＣＣＨ）の境界情報を決定するために使用されるパラメータを取得するステップと、
非基準セルの置かれた基地局が前記ＨＳ−ＤＰＣＣＨの前記境界情報を決定するように、前記基準セルの前記タイミング情報、又は前記高速専有物理制御チャネル（ＨＳ−ＤＰＣＣＨ）の前記境界情報を決定するために使用される前記パラメータを前記非基準セルの置かれた前記基地局に送信するステップとを含む、方法。
【請求項９】
請求項８に記載の方法であって、
前記基準セルの前記タイミング情報、又は前記高速専有物理制御チャネル（ＨＳ−ＤＰＣＣＨ）の前記境界情報を決定するために使用される前記パラメータを取得する前記ステップが、
ネットワークがユーザ機器のためのマルチフロー送信を構成するとき、前記基準セルの置かれた基地局によって送信される前記タイミング情報、若しくは前記高速専有物理制御チャネル（ＨＳ−ＤＰＣＣＨ）の前記境界情報を決定するために使用される前記パラメータを前記ネットワークが受信するステップ、又は
前記基準セルの前記タイミング情報、若しくは前記高速専有物理制御チャネル（ＨＳ−ＤＰＣＣＨ）の境界情報を決定するために使用される前記パラメータを取得する要求を前記ネットワークが前記基準セルの置かれた前記基地局に送信し、前記基準セルの置かれた前記基地局によって送信される前記基準セルの前記タイミング情報、若しくは前記高速専有物理制御チャネル（ＨＳ−ＤＰＣＣＨ）の前記境界情報を決定するために使用される前記パラメータを含む応答を前記ネットワークが受信するステップを含む、
方法。
【請求項１０】
請求項８又は９に記載の方法であって、
前記基準セルの前記タイミング情報が、間欠受信ＤＲＸタイミング情報を含み、
前記ＨＳ−ＤＰＣＣＨの前記境界情報を決定するために使用される前記パラメータが、以下、すなわち、前記基準セルと前記非基準セルとの間のＤＲＸタイミング情報の差ΔτＤＲＸ、又は前記基準セルの間欠受信のオフセットＤＲＸ＿ＯＦＦＳＥＴ、又は前記基準セルの上りリンク専有物理制御チャネルＤＰＣＣＨと前記基準セルの上りリンクＨＳ−ＤＰＣＣＨとの間のタイミングの関係、又は前記基準セルと前記非基準セルとの間のｍの差の情報Δｍのうちの少なくとも１つを含む、
方法。
【請求項１１】
請求項８又は９に記載の方法であって、
前記基準セルの間欠受信の前記オフセットＤＲＸ＿ＯＦＦＳＥＴが、式、
（外２１）
2015516129.tif 000023
を使用することによる計算により前記ネットワークによって取得され、前記ΔτＤＲＸが、前記基準セルと前記非基準セルとの間のＤＲＸタイミング情報の差である、
方法。
【請求項１２】
データの境界を決定する装置であって、
基準セルのタイミング情報、又は高速専有物理制御チャネル（ＨＳ−ＤＰＣＣＨ）の境界情報を決定するために使用されるパラメータを取得するように構成された取得ユニットと、
前記基準セルの前記タイミング情報又は前記パラメータにしたがって前記ＨＳ−ＤＰＣＣＨの前記境界情報を決定するように構成された決定ユニットとを含む、装置。
【請求項１３】
請求項１２に記載の装置であって、
前記取得ユニットが、
前記ネットワークによって送信される前記基準セルの前記タイミング情報、又は前記ＨＳ−ＤＰＣＣＨの前記境界情報を決定するために使用される前記パラメータを受信するように構成された前記受信ユニットと、
前記基準セルの前記タイミング情報、又は前記ＨＳ−ＤＰＣＣＨの前記境界情報を決定するために使用される前記パラメータを取得する要求を前記ネットワークに送信し、前記ネットワークによって送信される前記基準セルの前記タイミング情報、又は前記ＨＳ−ＤＰＣＣＨの前記境界情報を決定するために使用される前記パラメータを含む応答を受信するように構成された前記要求ユニットとを含む、
装置。
【請求項１４】
請求項１２又は１３に記載の装置であって、
前記取得ユニットによって取得され、前記ＨＳ−ＤＰＣＣＨの前記境界情報を決定するために使用される前記パラメータが、前記基準セルの下りリンク間欠受信（ＤＲＸ）タイミング情報を含むとき、
前記決定ユニットが、
前記基準セルのτＤＲＸ１に対応するＦ−ＤＰＣＨにしたがってＨＳ−ＳＣＣＨの境界を探索するように構成された第１の探索ユニットと、
前記第１の探索ユニットによって発見された前記ＨＳ−ＳＣＣＨの前記境界を開始点として使用し、前記ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報を前記ＨＳ−ＤＰＣＣＨの前記境界情報として決定するように構成された第１の境界決定ユニットとを含む、
装置。
【請求項１５】
請求項１２又は１３に記載の装置であって、
前記取得ユニットによって取得され、前記ＨＳ−ＤＰＣＣＨの前記境界情報を決定するために使用される前記パラメータが、前記基準セルと非基準セルとの間のＤＲＸタイミング情報の差ΔτＤＲＸを含み、
前記決定ユニットが、第１の計算ユニット、第２の探索ユニット、第２の境界決定ユニット、及び／又は第３の境界ユニットを含み、
前記第１の計算ユニットが、前記ΔτＤＲＸ及び前記非基準セルのＤＲＸタイミング情報τＤＲＸ２にしたがって計算を実行して前記基準セルのＤＲＸタイミング情報τＤＲＸ１を取得するように構成され、
前記第２の探索ユニットが、前記基準セルの前記τＤＲＸ１に対応するＦ−ＤＰＣＨにしたがってＨＳ−ＳＣＣＨの境界情報を見つけ出すように構成され、
前記第２の境界決定ユニットが、前記第２の探索ユニットによって見つけ出された前記ＨＳ−ＳＣＣＨの境界を開始点として使用し、前記ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報を前記ＨＳ−ＤＰＣＣＨの前記境界情報として決定するように構成され、
前記第３の境界決定ユニットが、式、
（外２２）
2015516129.tif 000024
にしたがって前記ＨＳ−ＳＣＣＨの前記境界情報を取得するように構成され、記号
（外２３）
2015516129.tif 000025
が、次の整数に切り上げることを意味し、前記ＣＦＮ＿ＤＲＸと前記Ｓ＿ＤＲＸとの両方が、訂正前の前記非基準セルのＨＳ−ＤＰＣＣＨの値及び／又は前記非基準セルのＨＳ−ＳＣＣＨの値であり、前記ＣＦＮ＿ＤＲＸが、間欠受信状態におけるコネクション・フレーム番号であり、前記Ｓ＿ＤＲＸが、前記間欠受信状態におけるサブフレーム番号であり、
（外２４）
2015516129.tif 000026
が、間欠受信のサブフレームのオフセットである、
装置。
【請求項１６】
請求項１２又は１３に記載の装置であって、
前記取得ユニットによって取得され、前記ＨＳ−ＤＰＣＣＨの前記境界情報を決定するために使用される前記パラメータが、前記基準セルの下りリンク間欠受信（ＤＲＸ）のオフセットＤＲＸ＿ＯＦＦＳＥＴを含み、
前記決定ユニットが、特に、式、５＊ＣＦＮ＿ＤＲＸ＋Ｓ＿ＤＲＸ＋ＤＲＸ＿ＯＦＦＳＥＴにしたがって前記ＨＳ−ＤＰＣＣＨの前記境界情報を取得するように構成され、前記ＣＦＮ＿ＤＲＸが、間欠受信状態におけるコネクション・フレーム番号であり、前記Ｓ＿ＤＲＸが、前記間欠受信状態におけるサブフレーム番号であり、前記ＤＲＸ＿ＯＦＦＳＥＴが、間欠受信のオフセットである、
装置。
【請求項１７】
請求項１２又は１３に記載の装置であって、
前記取得ユニットによって取得され、前記ＨＳ−ＤＰＣＣＨの前記境界情報を決定するために使用される前記パラメータが、前記基準セルの上りリンク専有物理制御チャネルＤＰＣＣＨと前記基準セルの上りリンクＨＳ−ＤＰＣＣＨとの間のタイミングの関係を含み、前記上りリンクＤＰＣＣＨと前記上りリンクＨＳ−ＤＰＣＣＨとの間の前記タイミングの関係が、指定された下りリンクＨＳ−ＳＣＣＨのサブフレームに対応する上りリンクＤＰＣＣＨの送信の境界と前記ＨＳ−ＳＣＣＨに関してフィードバックされるＨＳ−ＤＰＣＣＨの境界との間のタイミングの差、又は一片のＨＳ−ＳＣＣＨのデータに関して送信される前記上りリンクＤＰＣＣＨと前記ＨＳ−ＤＰＣＣＨとの間のタイミングの差であり、
前記決定ユニットが、特に、前記指定された下りリンクＨＳ−ＳＣＣＨのサブフレームに対応する前記上りリンクＤＰＣＣＨの送信の境界と前記ＨＳ−ＳＣＣＨに関してフィードバックされる前記ＨＳ−ＤＰＣＣＨの境界との間の前記タイミングの差、又は一片のＨＳ−ＳＣＣＨのデータに関して送信される前記上りリンクＤＰＣＣＨと前記ＨＳ−ＤＰＣＣＨとの間の前記タイミングの差の検出を実行して、前記ＨＳ−ＤＰＣＣＨの前記境界情報を得るように構成される、
装置。
【請求項１８】
請求項１２又は１３に記載の装置であって、
前記取得ユニットによって取得され、前記ＨＳ−ＤＰＣＣＨの前記境界情報を決定するために使用される前記パラメータが、前記基準セルと非基準セルとの間のｍの差の情報Δｍを含み、
前記決定ユニットが、
式、２５６＊Δｍ＝ΔτＤＲＸ及びΔτＤＲＸ＝前記非基準セルのτＤＲＸ２−前記基準セルのτＤＲＸ１にしたがって前記基準セルのτＤＲＸ１を取得するように構成された第２の計算ユニットと、
前記基準セルの前記τＤＲＸ１に対応するＦ−ＤＰＣＨにしたがってＨＳ−ＳＣＣＨの境界情報を見つけ出すように構成された第３の探索ユニットと、
前記第３の探索ユニットによって見つけ出された前記ＨＳ−ＳＣＣＨの境界を開始点として使用し、前記ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報を前記ＨＳ−ＤＰＣＣＨの前記境界情報として決定するように構成された第４の境界決定ユニットとを含む、
装置。
【請求項１９】
指示情報を送信する装置であって、
基準セルのタイミング情報、又は高速専有物理制御チャネル（ＨＳ−ＤＰＣＣＨ）の境界情報を決定するために使用されるパラメータを取得するように構成された取得ユニットと、
前記基準セルの前記タイミング情報、又は前記高速専有物理制御チャネル（ＨＳ−ＤＰＣＣＨ）の前記境界情報を決定するために使用される前記パラメータを非基準セルの置かれた基地局に送信するように構成された送信ユニットとを含む、装置。
【請求項２０】
請求項１９に記載の装置であって、
前記取得ユニットが、
ユーザ機器のためにマルチフロー送信が構成されるとき、前記基準セルの置かれた基地局によって送信される前記タイミング情報、若しくは前記高速専有物理制御チャネル（ＨＳ−ＤＰＣＣＨ）の前記境界情報を決定するために使用される前記パラメータを受信する受信ユニット、及び／又は
前記基準セルの前記タイミング情報、若しくは前記高速専有物理制御チャネル（ＨＳ−ＤＰＣＣＨ）の前記境界情報を決定するために使用される前記パラメータを取得する要求を前記基準セルの置かれた前記基地局に送信し、前記基準セルの置かれた前記基地局によって送信される前記基準セルの前記タイミング情報、若しくは前記高速専有物理制御チャネル（ＨＳ−ＤＰＣＣＨ）の前記境界情報を決定するために使用される前記パラメータを含む応答を受信するように構成された要求ユニットを含む、
装置。
【請求項２１】
請求項１９又は２０に記載の装置であって、
前記取得ユニットによって取得される前記基準セルの前記タイミング情報が、前記基準セルの間欠受信ＤＲＸタイミング情報、及び／又は前記基準セルの上りリンク専有物理制御チャネルＤＰＣＣＨと前記基準セルの上りリンクＨＳ−ＤＰＣＣＨとの間のタイミングの関係を含み、
前記取得ユニットによって取得され、前記高速専有物理制御チャネル（ＨＳ−ＤＰＣＣＨ）の前記境界情報を決定するために使用される前記パラメータが、前記基準セルの前記間欠受信ＤＲＸタイミング情報を含み、前記ＤＲＸタイミング情報が、フラクショナル専有物理チャネル（Ｆ−ＤＰＣＨ）と高速共有制御チャネル（ＨＳ−ＳＣＣＨ）との間のタイミングのずれ、前記基準セルと前記非基準セルとの間のＤＲＸタイミング情報の差ΔτＤＲＸ、前記基準セルの間欠受信のオフセットＤＲＸ＿ＯＦＦＳＥＴ、及び／又は前記基準セルと前記非基準セルとの間のｍの差の情報Δｍである、
装置。
【発明の詳細な説明】
【技術分野】
【０００１】
本出願は、２０１２年５月１０日に中国専利局に出願した、「データの境界を決定する方法、指示情報を送信する方法、及びそれらの装置」と題された中国特許出願第２０１２１０１４４２６７．９号の優先権を主張するものであり、この特許出願は、その全体が参照により本明細書に組み込まれる。
【０００２】
本発明は、通信技術の分野に関し、特に、データの境界を決定する方法、指示情報を送信する方法、及びそれらの装置に関する。
【背景技術】
【０００３】
移動体通信技術の発展に伴って、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）において、下りリンク間欠受信（ＤＲＸ、Ｄｉｓｃｏｎｔｉｎｕｏｕｓ  Ｒｅｃｅｐｔｉｏｎ）及びマルチフロー送信（Ｍｕｌｔｉｆｌｏｗ  ｔｒａｎｓｍｉｓｓｉｏｎ）が、別々に導入されている。しかし、下りリンクＤＲＸ及びマルチフロー送信が共存する問題は、現在、解決されるべき技術的課題である。
【０００４】
現在、異なるチャネルの間に決まったタイミングの関係が存在するので、セル側の観点からは、高速専有物理制御チャネル（ＨＳ−ＤＰＣＣＨ、Ｈｉｇｈ  Ｓｐｅｅｄ  Ｄｅｄｉｃａｔｅｄ  Ｐｈｙｓｉａｌ  Ｃｏｎｔｒｏｌ  Ｃｈａｎｎｅｌ）の開始点が、上りリンクのデータを受信するために見つけ出される必要があり、プロトコルの仕様によれば、セルが、高速共有制御チャネル（ＨＳ−ＳＣＣＨ、Ｈｉｇｈ  Ｓｐｅｅｄ  Ｓｈａｒｅｄ  Ｃｏｎｔｒｏｌ  Ｃｈａｎｎｅｌ）の開始点に応じた境界として１２８０チップの時間内で最も近いＨＳ−ＤＰＣＣＨの境界を後ろに戻って見つけ出す必要がある。ＳＦ−ＤＣの機能が、本明細書において例として使用される。ＳＦ−ＤＣの機能においては、特定のタイミングの差を有する２つのサービング・セルが存在し、２つのサービング・セルは、同じ基地局又は異なる基地局内にあり得る。
【０００５】
ＳＦ−ＤＣでは、ＵＥがダウンリンクにおいて２つのセルでデータを受信する必要があるが、上りリンクにおいては、送信は１つのセルでのみ必要とされ、（例えば、基地局間ＳＦ−ＤＣシナリオでは）他方のセルはデータを復調する必要があり、このようにして、ユーザ機器ＵＥ（Ｕｓｅｒ  Ｅｑｕｉｐｍｅｎｔ）側は、下りリンクのデータによって受信されるサブフレーム間の一致関係を指定するように要求される。
【０００６】
ＵＥの基準セル（ｒｅｆｅｒｅｎｃｅ  ｃｅｌｌ）及びセカンダリ・セル（ｓｅｃｏｎｄａｒｙ  ｃｅｌｌ）が定義され得、基準セルは、下りリンク物理チャネルＨＳ−ＰＤＳＣＨと上りリンク物理チャネルＨＳ−ＤＰＣＣＨとの間のタイミングの差が１９２００チップ又は７．５スロットであるセルであり、他方のセルは、セカンダリ・セルであり、又は非基準セルと呼ばれる。例えば、ＵＥの基準セルにおけるＨＳ−ＳＣＣＨのＳ＿ＤＲＸ＝０は、ＵＥの非基準セルにおけるＨＳ−ＳＣＣＨのＳ＿ＤＲＸ＝０に合致し、そして、データの２つのサブフレームを受信した後、ＵＥは、２つのサブフレームのフィードバック情報を対応するＨＳ−ＤＰＣＣＨで同時にフィードバックし、ＨＳ−ＤＰＣＣＨは、ＨＳ−ＳＣＣＨと決まったタイミングの関係を有する。
【０００７】
しかし、基準セルに関して、基準セルによってスケジューリングされるＨＳ−ＳＣＣＨのＳ＿ＤＲＸ＝０データ・サブフレームについて、基準セルは、プロトコルの仕様の「ＨＳ−ＳＣＣＨに対応するＣＦＮ＿ＤＲＸ  ｎサブフレームの開始点の後、１２８０チップの時間内で最も近いＨＳ−ＤＰＣＣＨの境界」にしたがって、ＨＳ−ＳＣＣＨのＳ＿ＤＲＸ＝０データ・サブフレームの境界としてＨＳ−ＤＰＣＣＨのＳ＿ＤＲＸ＝０サブフレームを見つけ出す。ＨＳ−ＤＰＣＣＨのＳ＿ＤＲＸ＝０サブフレームは、ＨＳ−ＳＣＣＨのＳ＿ＤＲＸ＝０サブフレームのフィードバックを搬送せず、フィードバックは、決まったタイミングにしたがって見つけ出される必要があることに留意されたい。例えば、次のＨＳ−ＤＰＣＣＨのＳ＿ＤＲＸ＝０サブフレームが、ＨＳ−ＳＣＣＨのＳ＿ＤＲＸ＝０サブフレームのフィードバック情報を搬送する。
【０００８】
非基準セルの置かれた基地局に関しても、ＨＳ−ＤＰＣＣＨの境界が、プロトコルの仕様にしたがって見つけ出される。しかし、非基準セルは、ＨＳ−ＤＰＣＣＨのＳ＿ＤＲＸ＝１サブフレームを見つけ出す。しかし、ＵＥ側は２つのセルのＨＳ−ＳＣＣＨのＳ＿ＤＲＸ＝０を同時に受信し、１つのＨＳ−ＤＰＣＣＨを使用することによってフィードバックを行うので、ＵＥと、非基準セルの置かれた基地局との間のＨＳ−ＤＰＣＣＨ情報の理解の不一致が引き起こされ得（つまり、非基準セルの置かれた基地局が、ＨＳ−ＤＰＣＣＨの境界の位置を誤って特定し）、それによって、下りリンクのデータ送信の性能の低下をもたらす。
【発明の概要】
【発明が解決しようとする課題】
【０００９】
従来技術の研究及び実施の過程で、本発明の発明者は、非基準セルの置かれた基地局がＨＳ−ＤＰＣＣＨの正しい境界を見つけることができないことがあり得るために、ＵＥと、非基準セルの置かれた基地局との間で、何らかの下りリンクのデータによって送信される上りリンクのＨＳ−ＤＰＣＣＨの理解の不一致が引き起こされ、結果として、下りリンクのデータの送信性能が低下するという既存の実装方法の技術的課題を発見する。
【課題を解決するための手段】
【００１０】
本発明の実施形態において、非基準セルの置かれた基地局がＨＳ−ＤＰＣＣＨの正確な境界を見つけ出すことができず、それによって、下りリンクのデータ送信の性能の低下をもたらす従来技術の技術的課題を解決するために、データの境界を決定する方法、指示データを送信する方法、及びそれらの装置が提供される。上述の技術的課題を解決するために、本発明の一実施形態は、データの境界を決定する方法を提供し、該方法は、非基準セルの置かれた基地局が、基準セルのタイミング情報を取得するか、又は非基準セルの置かれた基地局が、高速専有物理制御チャネル（ＨＳ−ＤＰＣＣＨ）の境界情報を決定するために使用されるパラメータを取得するステップと、基地局が、基準セルのタイミング情報又はパラメータにしたがってＨＳ−ＤＰＣＣＨの境界情報を決定するステップとを含む。
【００１１】
本発明の一実施形態は、指示情報を送信する方法をさらに提供し、該方法は、基準セルのタイミング情報、又は高速専有物理制御チャネル（ＨＳ−ＤＰＣＣＨ）の境界情報を決定するために使用されるパラメータを取得するステップと、非基準セルの置かれた基地局がＨＳ−ＤＰＣＣＨの境界情報を決定するように、基準セルのタイミング情報、又は高速専有物理制御チャネル（ＨＳ−ＤＰＣＣＨ）の境界情報を決定するために使用されるパラメータを非基準セルの置かれた基地局に送信するステップとを含む。
【００１２】
本発明の一実施形態は、データの境界を決定する装置をさらに提供し、該装置は、基準セルのタイミング情報、又は高速専有物理制御チャネル（ＨＳ−ＤＰＣＣＨ）の境界情報を決定するために使用されるパラメータを取得するように構成された取得ユニットと、基準セルのタイミング情報又はパラメータにしたがってＨＳ−ＤＰＣＣＨの境界情報を決定するように構成された決定ユニットとを含む。
【００１３】
本発明の一実施形態は、指示情報を送信する装置をさらに提供し、該装置は、基準セルのタイミング情報、又は高速専有物理制御チャネル（ＨＳ−ＤＰＣＣＨ）の境界情報を決定するために使用されるパラメータを取得するように構成された取得ユニットと、基準セルのタイミング情報、又は高速専有物理制御チャネル（ＨＳ−ＤＰＣＣＨ）の境界情報を決定するために使用されるパラメータを非基準セルの置かれた基地局に送信するように構成された送信ユニットとを含む。
【００１４】
非基準セルの置かれた基地局が、基準セルのタイミング情報、又は高速専有物理制御チャネル（ＨＳ−ＤＰＣＣＨ）の境界情報を決定するために使用されるパラメータを取得し得るので、ＨＳ−ＤＰＣＣＨの境界情報が、正しく見つけられ得、それによって、下りリンクのデータ送信の性能を向上させることが、上述の技術的解決策から分かるであろう。
【００１５】
本発明の実施形態又は従来技術の技術的解決策をより明瞭に説明するために、以下で、実施形態を説明するために必要とされる添付の図面を簡単に紹介する。明らかに、以下の説明の添付の図面は、本発明のいくつかの実施形態を示すに過ぎず、当業者は、創造的な努力なしにこれらの添付の図面からその他の図面を依然として導き出し得る。
【図面の簡単な説明】
【００１６】
【図１】本発明の一実施形態によるデータの境界を決定する方法のフローチャートある。
【図２】本発明の一実施形態による指示情報を送信する方法のフローチャートある。
【図３】本発明の一実施形態による、ＤＲＸタイミング情報を使用することによってデータの境界を決定するための方法の適用例の図である。
【図４】本発明の一実施形態による、ＤＲＸタイミング情報を使用することによってデータの境界を決定するための別の方法の適用例の図である。
【図５】本発明の一実施形態によるデータの境界を決定する装置の概略構造図である。
【図６】本発明の一実施形態によるデータの境界を決定する装置の第２の概略構造図である。
【図７】本発明の一実施形態によるデータの境界を決定する装置の第３の概略構造図である。
【図８】本発明の一実施形態によるデータの境界を決定する装置の第４の概略構造図である。
【図９】本発明の一実施形態によるデータの境界を決定する装置の第５の概略構造図である。
【図１０】本発明の一実施形態による指示情報を送信する装置の概略構造図である。
【発明を実施するための形態】
【００１７】
以下で、本発明の実施形態における添付の図面を参照して本発明の実施形態における技術的解決策を明瞭にかつ完全に説明する。明らかに、説明される実施形態は、本発明の実施形態のすべてではなく一部に過ぎない。創造的な努力なしに本発明の実施形態に基づいて当業者によって得られるすべてのその他の実施形態は、本発明の保護範囲に入る。本発明のすべての実施形態において、基準セルは、タイミング基準セルであり、非基準セルは、非タイミング基準セルであり、基準セルの置かれた基地局は、タイミング基準セルの置かれた基地局であり、非基準セルの置かれた基地局は、非タイミング基準セルの置かれた基地局である。とりわけ、タイミング基準セルの置かれた基地局及び非タイミング基準セルの置かれた基地局は、異なる基地局である。
【００１８】
加えて、用語「システム」及び「ネットワーク」は、本明細書においては交換可能なように使用され得る。本明細書における用語「及び／又は」は、関連するものを説明するために関連付けの関係を表すに過ぎず、３つの関係が存在し得ることを示す。例えば、Ａ及び／又はＢは、以下の３つの場合、すなわち、Ａのみが存在する、ＡとＢとの両方が存在する、及びＢのみが存在することを表し得る。加えて、本明細書における文字「／」は、概して、関連するものの間の「又は」の関係を示す。
【００１９】
本発明の実施形態においては、ＵＥにサービスを提供するセル（基地局）が、基準セルの置かれた基地局及び非基準セルの置かれた基地局（すなわち、セカンダリ・セルがある基地局）として定義され、基準セルは、ＵＥの下りリンク物理チャネルＨＳ−ＰＤＣＳＨと上りリンク物理チャネルＨＳ−ＤＰＣＣＨとの間のタイミングの差が１９２００チップ又は７．５スロットであるセルであり、基準セルを除くすべてのその他のセルは、非基準セルであり得る。もし、ＵＥの基準セルにおけるＨＳ−ＳＣＣＨのＳ＿ＤＲＸ＝０サブフレームが、ＵＥの非基準セルにおけるＨＳ−ＳＣＣＨのＳ＿ＤＲＸ＝０サブフレームに合致するならば、２つのサブフレームのデータを受信した後、ＵＥは、２つのサブフレームのフィードバック情報を対応するＨＳ−ＤＰＣＣＨで同時にフィードバックし、ＨＳ−ＤＰＣＣＨは、ＨＳ−ＳＣＣＨと決まったタイミングの関係を有する。
【００２０】
実施形態において、ＵＥは、下記のうちのいずれか１つであり得、ＵＥは、固定であるか又はモバイルであり得、固定ＵＥは、特に、端末（ｔｅｒｍｉｎａｌ）、移動局（ｍｏｂｉｌｅ  ｓｔａｔｉｏｎ）、加入者ユニット（ｓｕｂｓｃｒｉｂｅｒ  ｕｎｉｔ）、局（ｓｔａｔｉｏｎ）などであり得、モバイルＵＥは、特に、セルラ電話（ｃｅｌｌｕｌａｒ  ｐｈｏｎｅ）、携帯情報端末（ＰＤＡ、ｐｅｒｓｏｎａｌ  ｄｉｇｉｔａｌ  ａｓｓｉｓｔａｎｔ）、無線モデム（ｍｏｄｅｍ）、無線通信デバイス、ハンドヘルド（ｈａｎｄｈｅｌｄ）、ラップトップ・コンピュータ（ｌａｐｔｏｐ  ｃｏｍｐｕｔｅｒ）、コードレス電話（ｃｏｒｄｌｅｓｓ  ｐｈｏｎｅ）、無線ローカル・ループ（ＷＬＬ、ｗｉｒｅｌｅｓｓ  ｌｏｃａｌ  ｌｏｏｐ）局などであり得、上記のＵＥは、無線ネットワーク全体に分散させられ得る。
【００２１】
図１を参照すると、図１は、本発明の一実施形態によるデータの境界を決定する方法のフローチャートあり、該方法は、以下を含む。
【００２２】
１０１．非基準セルの置かれた基地局が、基準セルのタイミング情報、又は高速専有物理制御チャネル（ＨＳ−ＤＰＣＣＨ）の境界情報を決定するために使用されるパラメータを取得するステップ。
【００２３】
このステップにおいては、能動的な要求及び受動的な受信を含む複数の取得方法がある。例えば、非基準セルの置かれた基地局は、ネットワークによって送信される基準セルのタイミング情報、若しくはＨＳ−ＤＰＣＣＨの境界情報を決定するために使用されるパラメータを受信するか、又は基準セルのタイミング情報、若しくはＨＳ−ＤＰＣＣＨの境界情報を決定するために使用されるパラメータを取得する要求をネットワークに送信し、基準セルのタイミング情報、若しくはＨＳ−ＤＰＣＣＨの境界情報を決定するために使用されるパラメータ、を含むネットワークによって送信される応答を受信する。
【００２４】
１０２．非基準セルの置かれた基地局が、基準セルのタイミング情報又はパラメータにしたがってＨＳ−ＤＰＣＣＨの境界情報を決定するステップ。
【００２５】
本発明のこの実施形態においては、非基準セルの置かれた基地局が、基準セルのタイミング情報、又は高速専有物理制御チャネル（ＨＳ−ＤＰＣＣＨ）の境界情報を決定するために使用されるパラメータを取得することができるので、ＨＳ−ＤＰＣＣＨの境界情報が、正しく見つけられ得、それによって、下りリンクのデータ送信の性能を向上させる。
【００２６】
上述の実施形態においては、１０１において、もし、取得された基準セルのタイミング情報、又は高速専有物理制御チャネル（ＨＳ−ＤＰＣＣＨ）の境界情報を決定するために使用される取得されたパラメータが異なるならば、非基準セルの置かれた基地局がＨＳ−ＤＰＣＣＨの境界情報を決定する方法も異なる。以下の実施形態において、詳細が説明される。
【００２７】
オプション的に、上述の実施形態において、もし、基準セルのタイミング情報が基準セルの下りリンク間欠受信（ＤＲＸ）タイミング情報（τＤＲＸ１）を含み、ＤＲＸタイミング情報がフラクショナル専有物理チャネル（Ｆ−ＤＰＣＨ：ｆｒａｃｔｉｏｎａｌ  ｄｅｄｉｃａｔｅｄ  ｐｈｙｓｉｃａｌ  ｃｈａｎｎｅｌ）と高速共有制御チャネル（ＨＳ−ＳＣＣＨ）との間のタイミングのずれであるならば、非基準セルの置かれた基地局が、基準セルのタイミング情報にしたがってＨＳ−ＤＰＣＣＨの境界情報を決定するステップは、特に、非基準セルの置かれた基地局が、基準セルのτＤＲＸ１に対応するＦ−ＤＰＣＨにしたがってＨＳ−ＳＣＣＨの境界を探索し、非基準セルの置かれた基地局が、ＨＳ−ＳＣＣＨの見つかった境界を開始点として使用し、プロトコルの仕様にしたがって、非基準セルの置かれた基地局が、ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報をＨＳ−ＤＰＣＣＨの境界情報として決定するステップを含む。特定の探索及び決定方法は、当業者によく知られている技術であり、詳細は、本明細書においてあらためて説明されない。
【００２８】
オプション的に、上述の実施形態において、もし、ＨＳ−ＤＰＣＣＨの境界情報を決定するために使用されるパラメータが基準セルと非基準セルとの間のＤＲＸタイミング情報の差ΔτＤＲＸを含むならば、非基準セルが、パラメータにしたがってＨＳ−ＤＰＣＣＨの境界情報を決定するステップは、特に、非基準セルが、ΔτＤＲＸ及びその非基準セル自体のＤＲＸタイミング情報τＤＲＸ２にしたがって計算を実行して、例えば、式、ΔτＤＲＸ＝τＤＲＸ２−τＤＲＸ１などにしたがって基準セルのＤＲＸタイミング情報τＤＲＸ１を取得し、非基準セルが、基準セルのτＤＲＸ１に対応するＦ−ＤＰＣＨにしたがってＨＳ−ＳＣＣＨの境界情報を見つけ出し、プロトコルの仕様にしたがって、非基準セルの置かれた基地局が、ＨＳ−ＳＣＣＨの見つかった境界を開始点として使用し、非基準セルの置かれた基地局が、ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報をＨＳ−ＤＰＣＣＨの境界情報として決定するステップを含む。
【００２９】
本発明の別の実施形態において、非基準セルの置かれた基地局は、式、
（外１）
2015516129.tif 000003
にしたがってＨＳ−ＳＣＣＨの境界情報を取得し、ここで、記号
（外２）
2015516129.tif 000004
は、次の整数に切り上げることを意味し、ＣＦＮ＿ＤＲＸは、間欠受信状態におけるコネクション・フレーム番号（Ｃｏｎｎｅｃｔｉｏｎ  Ｆｒａｍｅ  Ｎｕｍｂｅｒ＿Ｄｉｓｃｏｎｔｉｎｕｏｕｓ  Ｒｅｃｅｐｔｉｏｎ）であり、Ｓ＿ＤＲＸは、間欠受信状態におけるサブフレーム番号（Ｓｕｂ  Ｆｒａｍｅ  Ｎｕｍｂｅｒ＿Ｄｉｓｃｏｎｔｉｎｕｏｕｓ  Ｒｅｃｅｐｔｉｏｎ）であり、ＣＦＮ＿ＤＲＸとＳ＿ＤＲＸとの両方は、訂正前の非基準セルのＨＳ−ＤＰＣＣＨの値及び／又は非基準セルのＨＳ−ＳＣＣＨの値であり、
（外３）
2015516129.tif 000005
は、間欠受信のサブフレームのオフセットである。
【００３０】
オプション的に、この実施形態において、もし、ＨＳ−ＤＰＣＣＨの境界情報を決定するために使用されるパラメータが基準セルの下りリンク間欠受信のオフセットＤＲＸ＿ＯＦＦＳＥＴを含むならば、非基準セルの置かれた基地局が、パラメータにしたがってＨＳ−ＤＰＣＣＨの境界情報を決定するステップは、特に、非基準セルの置かれた基地局が、式、５＊ＣＦＮ＿ＤＲＸ＋Ｓ＿ＤＲＸ＋ＤＲＸ＿ＯＦＦＳＥＴにしたがってＨＳ−ＤＰＣＣＨの境界情報を取得するステップを含み、ここで、ＣＦＮ＿ＤＲＸは、間欠受信状態におけるコネクション・フレーム番号であり、Ｓ＿ＤＲＸは、間欠受信状態におけるサブフレーム番号であり、ＤＲＸ＿ＯＦＦＳＥＴは、間欠受信のオフセットである。
【００３１】
オプション的に、この実施形態において、もし、ＨＳ−ＤＰＣＣＨの境界情報を決定するために使用されるパラメータが基準セルの上りリンク専有物理制御チャネルＤＰＣＣＨと基準セルの上りリンクＨＳ−ＤＰＣＣＨとの間のタイミングの関係（すなわち、ｍ値（ｍ  ｖａｌｕｅ））を含み、上りリンクＤＰＣＣＨと上りリンクＨＳ−ＤＰＣＣＨとの間のタイミングの関係が、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又は一片のＨＳ−ＳＣＣＨのデータに関して送信される上りリンクＤＰＣＣＨとＨＳ−ＤＰＣＣＨとの間のタイミングの差であるならば、非基準セルの置かれた基地局が、パラメータにしたがってＨＳ−ＤＰＣＣＨの境界情報を決定するステップは、特に、非基準セルの置かれた基地局が、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又はＨＳ−ＳＣＣＨのデータに関して送信される上りリンクＤＰＣＣＨとＨＳ−ＤＰＣＣＨとの間のタイミングの差、の検出を実行して、ＨＳ−ＤＰＣＣＨの境界情報を得るステップを含む。
【００３２】
オプション的に、この実施形態において、もし、ＨＳ−ＤＰＣＣＨの境界情報を決定するために使用されるパラメータが基準セルと非基準セルとの間のｍの差の情報Δｍを含むならば、非基準セルの置かれた基地局が、パラメータにしたがってＨＳ−ＤＰＣＣＨの境界情報を決定するステップは、以下のとおりである。
【００３３】
第１に、非基準セルの置かれた基地局が、式、２５６＊Δｍ＝ΔτＤＲＸ及びΔτＤＲＸ＝非基準セルのτＤＲＸ２−基準セルのτＤＲＸ１にしたがって基準セルのτＤＲＸ１を取得し、次いで、非基準セルの置かれた基地局が、基準セルのτＤＲＸ１に対応するＦ−ＤＰＣＨにしたがってＨＳ−ＳＣＣＨの境界情報を見つけ出し、最後に、非基準セルの置かれた基地局が、見つけ出されたＨＳ−ＳＣＣＨの境界を開始点として使用し、ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報をＨＳ−ＤＰＣＣＨの境界情報として決定する。
【００３４】
確かに、上述の実施形態において、間欠受信のタイミング情報を決定するために使用されるパラメータは、上述のパラメータのうちの１種類又は２種類以上を含み得、この実施形態において限定されない。２種類以上が含まれるとき、ＨＳ−ＤＰＣＣＨの境界情報を決定する方法は、対応する方法にしたがって決定され、詳細については上記の説明が参照され得、詳細は本明細書においてあらためて説明されない。
【００３５】
図２を参照すると、図２は、本発明の一実施形態による指示情報を送信する方法のフローチャートであり、該方法は、以下を含む。
【００３６】
２０１．基準セルのタイミング情報、又は高速専有物理制御チャネル（ＨＳ−ＤＰＣＣＨ）の境界情報を決定するために使用されるパラメータを取得するステップ。
【００３７】
このステップにおいては、ネットワークの無線ネットワーク・コントローラ（ＲＮＣ）の複数の取得方法がある。例えば、ネットワーク内のＲＮＣが、ユーザ機器のためのマルチフロー送信を構成するとき、ＲＮＣは、基準セルの置かれた基地局によって送信される、タイミング情報、若しくは高速専有物理制御チャネル（ＨＳ−ＤＰＣＣＨ）の境界情報を決定するために使用されるパラメータを受信するか、又は、ネットワーク内のＲＮＣは、基準セルのタイミング情報、若しくは高速専有物理制御チャネル（ＨＳ−ＤＰＣＣＨ）の境界情報を決定するために使用されるパラメータを取得する要求を基準セルの置かれた基地局に送信し、基準セルの置かれた基地局によって送信される、基準セルのタイミング情報、若しくは高速専有物理制御チャネル（ＨＳ−ＤＰＣＣＨ）の境界情報を決定するために使用されるパラメータを含む応答を受信する。
【００３８】
この実施形態において、基準セルのタイミング情報は、間欠受信ＤＲＸタイミング情報を含むが、間欠受信ＤＲＸタイミング情報に限定されない。その他のタイミング情報も、含まれ得る。
【００３９】
高速専有物理制御チャネル（ＨＳ−ＤＰＣＣＨ）の境界情報を決定するために使用されるパラメータは、以下、すなわち、基準セルと非基準セルとの間のＤＲＸタイミング情報の差ΔτＤＲＸ、又は基準セルの間欠受信のオフセットＤＲＸ＿ＯＦＦＳＥＴ、又は基準セルの上りリンク専有物理制御チャネルＤＰＣＣＨと基準セルの上りリンクＨＳ−ＤＰＣＣＨとの間のタイミングの関係、又は基準セルと非基準セルとの間のｍの差の情報Δｍのうちの少なくとも１つを含む。しかし、該パラメータは、ΔτＤＲＸ、ＤＲＸ＿ＯＦＦＳＥＴ、タイミングの関係、及びΔｍに限定されず、高速専有物理制御チャネル（ＨＳ−ＤＰＣＣＨ）の境界情報を決定するために使用される別のパラメータも、含まれ得る。
【００４０】
オプション的に、基準セルの間欠受信のオフセットＤＲＸ＿ＯＦＦＳＥＴは、式、
（外４）
2015516129.tif 000006
を使用することによる計算によりネットワークによって取得され、ここで、ΔτＤＲＸは、基準セルと非基準セルとの間のＤＲＸタイミング情報の差である。
【００４１】
２０２．非基準セルの置かれた基地局がＨＳ−ＤＰＣＣＨの境界情報を決定するように、基準セルのタイミング情報、又は高速専有物理制御チャネル（ＨＳ−ＤＰＣＣＨ）の境界情報を決定するために使用されるパラメータ、を非基準セルの置かれた基地局に送信するステップ。
【００４２】
このステップにおいては、もし、送信されるメッセージが基準セルのタイミング情報、又は高速専有物理制御チャネル（ＨＳ−ＤＰＣＣＨ）の境界情報を決定するために使用されるパラメータを含むのみならば、ＲＮＣが非基準セルの置かれた基地局に送信する複数の方法がある。
【００４３】
当業者による理解を容易にするために、以降は、特定の応用例を参照して説明される。
【００４４】
１つの種類の実施形態においては、ＲＮＣが基準セルのＤＲＸタイミング情報を取得することが、例として使用される。
【００４５】
第１に、ＲＮＣが、基準セルから基準セルのＤＲＸタイミング情報（すなわち、ΔτＤＲＸ１）を取得し、取得方法は、能動的に要求すること又は受動的に受信することであり得、この実施形態において限定されない。ＤＲＸタイミング情報は、Ｆ−ＤＰＣＨとＨＳ−ＳＣＣＨとの間のタイミングのずれとして定義され、この実施形態において、τＤＲＸ１、τＤＲＸ２、及びΔτＤＲＸの単位は、すべてチップである。
【００４６】
この実施形態において、基準セルは、ＲＮＣがＵＥのためのマルチフロー送信（Ｍｕｌｔｉｆｌｏｗ）を構成するたびにＲＮＣにＤＲＸタイミング情報を報告し得、ＤＲＸタイミング情報は、周期的に又はリアルタイムで報告され得、確かに、基準セルは、ＲＮＣが報告を必要とするときにのみ、基準セルのＤＲＸタイミング情報をＲＮＣに知らせ得る。チャネルのタイミングは、セル（基地局）とＵＥとの間で維持され、セルのクロック・ドリフト（ｃｌｏｃｋ  ｄｒｉｆｔ）、無線インターフェースの送信の遅延の変化、及びその他の要因を伴うので、この種のＤＲＸタイミング情報は、時間とともに変わり得、したがって、この実施形態において、ＲＮＣ側は、さらに、取得されたＤＲＸタイミング情報を適時更新する必要がある。
【００４７】
次いで、ＲＮＣが、非基準セルの置かれた基地局に基準セルのＤＲＸタイミング情報を知らせる。
【００４８】
最後に、非基準セルの置かれた基地局が、基準セルのＤＲＸタイミング情報にしたがってＨＳ−ＤＰＣＣＨの境界情報を決定する。
【００４９】
つまり、基準セルのＤＲＸタイミング情報を知った後、非基準セルの置かれた基地局は、最初に、図３に示されるように基準セルのτＤＲＸ１に対応するＦ−ＤＰＣＨにしたがってＨＳ−ＳＣＣＨの境界を見つけ出し、図３は、本発明の一実施形態による、ＤＲＸタイミング情報を使用することによってデータの境界を決定するための方法の適用例の図である。この実施形態における「ＨＳ−ＳＣＣＨの境界情報」は、ＨＳ−ＤＰＣＣＨのタイミングを探索するために非基準セルの置かれた基地局によって使用され得、下りリンクのデータ送信のスケジューリングのためにさらに使用され得ることに留意されたい。
【００５０】
そして、非基準セルの置かれた基地局は、ＨＳ−ＳＣＣＨに対応するＣＦＮ＿ＤＲＸ  ｎサブフレームの開始点の後、１２８０チップの時間内で最も近いＨＳ−ＤＰＣＣＨ境界についての情報をＨＳ−ＤＰＣＣＨの境界情報として決定し、結果として、基準セルの置かれた基地局及び非基準セルの置かれた基地局が同じＨＳ−ＤＰＣＣＨの境界を見つけ出すことが、保証され得る。特定の探索プロセスは、当業者によく知られている技術であり、詳細は、本明細書においてあらためて説明されない。
【００５１】
別の実施形態においては、ネットワークが非基準セルの置かれた基地局に基準セルと非基準セルとの間のＤＲＸタイミング情報の差ΔτＤＲＸを知らせる例が、使用される。
【００５２】
第１に、ネットワークが、非基準セルの置かれた基地局に基準セルのＤＲＸタイミング情報の差ΔτＤＲＸ＝τＤＲＸ２−τＤＲＸ１（チップ単位）を知らせ、τＤＲＸは、正又は負であり得ることに留意すべきであり、図３に示されるように、図中のτＤＲＸ１は、Ｆ−ＤＰＣＨが対応するＨＳ−ＳＣＣＨのタイミングの後であるので負の値であり、τＤＲＸ２は、Ｆ−ＤＰＣＨが対応するＨＳ−ＳＣＣＨのタイミングの前であるので正の値である。
【００５３】
次いで、非基準セルの置かれた基地局が、ΔτＤＲＸ及びその基地局自体のＤＲＸタイミング情報τＤＲＸ２にしたがって計算を実行し、基準セルのＤＲＸタイミング情報τＤＲＸ１を得る。
【００５４】
その後、非基準セルの置かれた基地局が、基準セルのτＤＲＸ１に対応するＦ−ＤＰＣＨにしたがってＨＳ−ＳＣＣＨの境界情報を見つけ出す。
【００５５】
図３に示されるように、この実施形態における「ＨＳ−ＳＣＣＨの境界」は、ＨＳ−ＤＰＣＣＨのタイミングを探索するために非基準セルの置かれた基地局によって使用され得、下りリンクのデータ送信のスケジューリングのためにさらに使用され得る。そして、非基準セルの置かれた基地局が、プロトコルにおける「ＨＳ−ＳＣＣＨに対応するＣＦＮ＿ＤＲＸ  ｎサブフレームの開始点の後、１２８０チップの時間内で最も近いＨＳ−ＤＰＣＣＨの境界についての情報」という規則にしたがってＨＳ−ＤＰＣＣＨの境界を見つけ出し、結果として、基準セルの置かれた基地局及び非基準セルの置かれた基地局が同じＨＳ−ＤＰＣＣＨの境界を見つけ出すことが、保証され得る。
【００５６】
図３において、基準セルの置かれた基地局のＤＲＸタイミング情報は、τＤＲＸ１であり、非基準セルの置かれた基地局のＤＲＸタイミング情報は、τＤＲＸ２である。非基準セルの置かれた基地局は、最初にＳ＿ＤＲＸ＝０を見つけ出し、次いで、対応するＦ−ＤＰＣＨの始まりの境界を見つけ出す。上述のプロセスにしたがって、非基準セルの置かれた基地局は、τＤＲＸ２及びΔτＤＲＸにしたがって基準セルのＤＲＸタイミング情報τＤＲＸ１を取得し得る。非基準セルの置かれた基地局が、プロトコルで定義されるＨＳ−ＳＣＣＨ及びＨＳ−ＤＰＣＣＨのタイミングの規則にしたがって、Ｓ＿ＤＲＸ＝０に対応するＨＳ−ＤＰＣＣＨのサブフレームがＳ＿ＤＲＸ＝０であることを見つけ出すことができ、このようにして、基準セルの置かれた基地局及び非基準セルの置かれた基地局がＨＳ−ＳＣＣＨとＨＳ−ＤＰＣＣＨとの間のサブフレームの一致関係において同じ理解を有することが保証され得ることが、図から分かる。
【００５７】
別の種類の実施形態においては、ネットワーク内のＲＮＣが、やはり、非基準セルの置かれた基地局に基準セルのＤＲＸタイミング情報の差ΔτＤＲＸ＝τＤＲＸ２−τＤＲＸ１を知らせる。しかし、非基準セルの置かれた基地局がＨＳ−ＤＰＣＣＨの境界及び／又はＨＳ−ＳＣＣＨの境界を決定する方法は異なり、具体的には、次のようになる。
非基準セルの置かれた基地局が、式、
（外５）
2015516129.tif 000007
を使用することによってＨＳ−ＤＰＣＣＨの境界を決定する。
【００５８】
式中の記号
（外６）
2015516129.tif 000008
は、次の整数に切り上げることを意味し、例えば、もし、記号内の値が０．５であるならば、計算結果は１であり、もし、記号内の値が１．５であるならば、計算結果は２であり、残りはこのことから推論可能であり、
（外７）
2015516129.tif 000009
は、間欠受信のサブフレームのオフセットであり、ＣＦＮ＿ＤＲＸは、間欠受信状態におけるコネクション・フレーム番号を表し、Ｓ＿ＤＲＸは、間欠受信状態におけるサブフレーム番号を表し、ＣＦＮ＿ＤＲＸとＳ＿ＤＲＸとの両方は、訂正前の非基準セルのＨＳ−ＤＰＣＣＨの値及び／又は非基準セルのＨＳ−ＳＣＣＨの値である。
【００５９】
この実施形態において、上述の式は、主として、チャネルの境界を決定するために使用され、以下の式は、主として、ＵＥのフィードバック情報（つまり、ＣＱＩの位置）を決定するためにＮｏｄｅＢによって使用される。
【００６０】
このとき、ＨＳ−ＤＰＣＣＨがチャネル品質インジケータ（ＣＱＩ：Ｃｈａｎｎｅｌ  Ｑｕａｌｉｔｙ  Ｉｎｄｉｃａｔｏｒ）を送信するための時間は、
ｋ’＝ｋ／（２ｍｓ）として
（外８）
2015516129.tif 000010
であり、ここで、
ｋ’は、ＤＲＸの周期に対応するサブフレームの数であり、ＣＦＮ＿ＤＲＸは、間欠受信状態におけるコネクション・フレーム番号であり、ＵＥ＿ＤＴＸ＿ＤＲＸ＿Ｏｆｆｓｅｔは、ユーザ機器の間欠送信と間欠受信とのオフセットであり、Ｓ＿ＤＲＸは、間欠受信状態におけるサブフレーム番号であり、ＭＯＤは、モジュロ演算である。
【００６１】
さらに、多入力多出力（ＭＩＭＯ：Ｍｕｌｔｉｐｌｅ−Ｉｎｐｕｔ  Ｍｕｌｔｉｐｌｅ−Ｏｕｔｐｕｔ）がネットワーク上でさらに構成されるとき、上記の式が満たされることを前提として、もし、ネットワークが次の式
（外９）
2015516129.tif 000011
をさらに満たすならば、
ＵＥは、タイプＡチャネル品質インジケータ（ｔｙｐｅ  Ａ  ＣＱＩ：ｔｙｐｅ  Ａ  Ｃｈａｎｎｅｌ  Ｑｕａｌｉｔｙ  Ｉｎｄｉｃａｔｏｒ）を送信する必要がある。そうでないならば、ＵＥは、タイプＢ・ＣＱＩを送信し、タイプＡ・ＣＱＩ及びタイプＢ・ＣＱＩの具体的な定義に関しては、３ＧＰＰプロトコル２５．５１２の定義が参照可能であり、詳細は、本明細書においてあらためて説明されず、Ｍ＿ｃｑｉ及び／又はＮ＿ｃｑｉ＿ｔｙｐｅ  Ａは、シグナリングを使用することによってネットワークによりＵＥに送信されるパラメータであり、加えて、式中のその他のパラメータに関しては、上記の説明が参照可能であり、詳細は、本明細書においてあらためて説明されない。
【００６２】
ＨＳ−ＳＣＣＨがＣＱＩを受信するための時間は、
（外１０）
2015516129.tif 000012
であり、ここで、
式中のパラメータの具体的な定義に関しては、上述の対応するパラメータが参照可能であり、詳細は、本明細書においてあらためて説明されない。
【００６３】
別の種類の実施形態においては、ネットワークが、非基準セルの置かれた基地局に基準セルの間欠受信のオフセット（ＤＲＸ＿ＯＦＦＳＥＴ）を知らせ得、ここで、ＤＲＸ＿ＯＦＦＳＥＴは、
（外１１）
2015516129.tif 000013
に等しくあり得るが、
（外１２）
2015516129.tif 000014
に限定されない。
【００６４】
非基準セルの置かれた基地局は、式、５＊ＣＦＮ＿ＤＲＸ＋Ｓ＿ＤＲＸ＋ＤＲＸ＿ＯＦＦＳＥＴを使用することによってＨＳ−ＤＰＣＣＨの境界を取得し、ここで、
ＣＦＮ＿ＤＲＸ及びＳ＿ＤＲＸの定義は、上で示されたとおりであり、ＣＦＮ＿ＤＲＸ及びＳ＿ＤＲＸは、訂正前の非基準セルの値である。
【００６５】
ＨＳ−ＤＰＣＣＨがＣＱＩを送信するための時間は、
ｋ’＝ｋ／（２ｍｓ）として、（（５＊ＣＦＮ＿ＤＲＸ−ＵＥ＿ＤＴＸ＿ＤＲＸ＿Ｏｆｆｓｅｔ＋Ｓ＿ＤＲＸ＋ＤＲＸ＿ＯＦＦＳＥＴ）ＭＯＤ  ｋ’）＝０であり、ここで、
ｋ’は、ＤＲＸの周期に対応するサブフレームの数であり、式中のその他のパラメータは、上で示されたとおりであり、詳細は、本明細書においてあらためて説明されない。
【００６６】
さらに、ＭＩＭＯがネットワーク上にさらに構成されるとき、上記の式が満たされることを前提として、もし、ネットワークが次の式
（外１３）
2015516129.tif 000015
をさらに満たすならば、
ＵＥは、タイプＡ・ＣＱＩを送信する必要がある。そうでないならば、ＵＥは、タイプＢ・ＣＱＩを送信し、タイプＡ・ＣＱＩ及びタイプＢ・ＣＱＩの定義は、３ＧＰＰプロトコル２５．５１２における具体的な定義を有し、パラメータＭ＿ｃｑｉ及び／又はＮ＿ｃｑｉ＿ｔｙｐｅ  Ａは、シグナリングを使用することによってネットワークによりＵＥに送信される。
【００６７】
ＨＳ−ＳＣＣＨがＣＱＩを受信するための時間は、
（（５＊ＣＦＮ＿ＤＲＸ−ＵＥ＿ＤＴＸ＿ＤＲＸ＿Ｏｆｆｓｅｔ＋Ｓ＿ＤＲＸ＋ＤＲＸ＿ＯＦＦＳＥＴ）ＭＯＤ  ＵＥ＿ＤＲＸサイクル）＝０である。
【００６８】
別の種類の実施形態においては、ネットワーク内のＲＮＣが、非基準セルの置かれた基地局に基準セルの上りリンクＤＰＣＣＨと基準セルの上りリンクＨＳ−ＤＰＣＣＨとの間の（ｍ値と呼ばれる）タイミングの関係を知らせることが、例として用いられ、そして、非基準セルの置かれた基地局は、タイミング情報の関係にしたがってＨＳ−ＤＰＣＣＨの境界情報を生成する。
【００６９】
この実施形態においては、ＲＮＣは、基準セルから基準セルのＤＲＸタイミング情報（すなわち、ΔτＤＲＸ）を最初に取得し、取得方法は、能動的に要求すること又は受動的に受信することであり得、この実施形態において限定されない。ＤＲＸタイミング情報は、Ｆ−ＤＰＣＨとＨＳ−ＳＣＣＨとの間のタイミングのずれとして定義され、この実施形態において、τＤＲＸ１、τＤＲＸ２、及びΔτＤＲＸの単位は、すべてチップである。
【００７０】
この実施形態において、ｍ値は、下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差であるか、又は一片のＨＳ−ＳＣＣＨのデータに関して送信される上りリンクＤＰＣＣＨとＨＳ−ＤＰＣＣＨとの間のタイミングの差であると理解され得る。基準セルは、ｍ値にしたがってＨＳ−ＤＰＣＣＨの境界情報を見つけ出し得、次いで、搬送された情報を検出し得、詳細が、図４に示されており、図４は、本発明の一実施形態による、ＤＲＸタイミング情報を使用することによってデータの境界を決定するための別の方法の適用例の図である。
【００７１】
図４においては、基準セルは、ＨＳ−ＳＣＣＨとＨＳ−ＤＰＣＣＨとの間の関連付けの関係を確立するためにｍ値にしたがってτＤＲＸ１を見つけ出し得、基準セルは、非基準セルの置かれた基地局にｍ値を知らせ得、ｍ値は、上りリンクＤＰＣＣＨとＨＳ−ＤＰＣＣＨとの間のタイミングのずれであり、基準セルのｍ値を知った後、非基準セルの置かれた基地局は、ＨＳ−ＳＣＣＨとＨＳ−ＤＰＣＣＨとの間の関連付けの関係を直接計算し得、例えば、図４においては、基準セルが、ＨＳ−ＳＣＣＨのＳ＿ＤＲＸ＝０に対応するＨＳ−ＤＰＣＣＨのＳ＿ＤＲＸ＝０を見つけ出し、このとき、非基準セルの置かれた基地局によって知られているｍ値は、５Ｓ＿ＤＲＸであり、このとき、非基準セルの置かれた基地局は、取得されたｍ値（−５）にしたがってＳ＿ＤＲＸを決定し得、このとき、非基準セルの置かれた基地局及び非基準セルの置かれた基地局が一貫した理解を有することが、保証され得る。
【００７２】
図４において示された実施形態と図３において示された実施形態との間の違いは、基準セルの置かれた基地局によって取得されるＤＲＸタイミング情報が異なる点にある。
【００７３】
この実施形態においては、ＲＮＣが、非基準セルの置かれた基地局に基準セルのｍ値を知らせ、このようにして、２つのセルが同じ上りリンクＤＰＣＣＨのタイミングを検出するので、非基準セルの置かれた基地局が、同じＨＳ−ＤＰＣＣＨの境界を見つけ出し得る。
【００７４】
別の種類の実施形態においては、上述の実施形態に基づいて、この実施形態のＲＮＣは、非基準セルの置かれた基地局に、基準セルのＦ−ＤＰＣＨのタイミング情報及び基準セルのＨＳ−ＰＤＳＣＨのタイミング情報、又は基準セルと非基準セルとの間のｍの差の情報をさらに知らせ得る。
【００７５】
非基準セルの置かれた基地局に基準セルのＦ−ＤＰＣＨのタイミング情報及び基準セルのＨＳ−ＰＤＳＣＨのタイミング情報を知らせる方法においては、Ｆ−ＤＰＣＨ及びＨＳ−ＰＤＳＣＨのタイミング情報とｍ値との間に一意の変換関係があるので、ＨＳ−ＤＰＣＣＨの境界を検出するために使用される正しいｍ値情報が、最終的に計算される。
【００７６】
加えて、非基準セルの置かれた基地局に基準セルと非基準セルとの間のｍの差の情報を知らせる方法においては、非基準セルの置かれた基地局が、その基地局自体のｍ値及びｍの差を使用することによって、例えば、式、２５６＊Δｍ＝ΔτＤＲＸを使用することによって計算を実行し、ＨＳ−ＤＰＣＣＨの境界を検出するために使用される正しいｍ値情報が、最終的に計算される。
【００７７】
つまり、実施形態６において説明された２つの解決策は、基準セルのｍ値を直接使用することによる決定の効果と同じ効果を有する。
【００７８】
本発明のこの実施形態においては、非基準セルの置かれた基地局が、基準セルのＤＲＸタイミング情報、又はＨＳ−ＤＰＣＣＨの境界情報を決定するために使用されるパラメータを知らされ、したがって、ＤＲＸタイミング情報又はパラメータにしたがってＨＳ−ＤＰＣＣＨの境界を検出し、それによって、ＨＳ−ＤＰＣＣＨの境界を決定し、下りリンクのデータ送信の性能を向上させることが、上述の実施形態から知られ得る。同時に、非基準セルの置かれた基地局がマルチフロー送信（Ｍｕｌｔｉｆｌｏｗ）の上りリンクのデータを正常に受信することもまた、保証される。
【００７９】
加えて、すべての上述の実施形態は、ＬＴＥ−Ａにおける基地局間ジョイント・スケジューリング（ｊｏｉｎｔ−ｓｃｈｅｄｕｌｉｎｇ）の機能に適用可能であり得、実施のプロセスは、上述の実施形態と同様である。詳細に関しては、上記の説明が参照され得る。
【００８０】
上述の方法の実施のプロセスに基づいて、本発明の一実施形態は、データの境界を決定する装置をさらに提供し、データの境界を決定する装置の概略構造図が、図５に示されており、該装置は、取得ユニット５１及び決定ユニット５２を含み、
取得ユニット５１は、基準セルのタイミング情報、又は高速専有物理制御チャネル（ＨＳ−ＤＰＣＣＨ）の境界情報を決定するために使用されるパラメータを取得するように構成され、決定ユニット５２は、基準セルのタイミング情報又はパラメータにしたがってＨＳ−ＤＰＣＣＨの境界情報を決定するように構成され、ＨＳ−ＤＰＣＣＨの境界情報は、ＨＳ−ＤＰＣＣＨのタイミングを探索するために非基準セルの置かれた基地局によって使用され得るのみでなく、下りリンクのデータ送信のスケジューリングのためにも使用され得る。
【００８１】
取得ユニット５１は、受信ユニット５１１及び要求ユニット５１２を含み、取得ユニット５１の概略構造図が、図６に示されている。図６は、本発明の一実施形態によるデータの境界を決定する装置の第２の概略構造図である。
【００８２】
受信ユニット５１１は、ネットワークによって送信される基準セルのタイミング情報、又はＨＳ−ＤＰＣＣＨの境界情報を決定するために使用されるパラメータを受信するように構成され、要求ユニット５１２は、基準セルのタイミング情報、又はＨＳ−ＤＰＣＣＨの境界情報を決定するために使用されるパラメータ、を取得する要求をネットワークに送信し、ネットワークによって送信される基準セルのタイミング情報、又はＨＳ−ＤＰＣＣＨの境界情報を決定するために使用されるパラメータ、を含む応答を受信するように構成される。
【００８３】
オプション的に、上述の実施形態に基づいて、取得ユニットによって取得され、ＨＳ−ＤＰＣＣＨの境界情報を決定するために使用されるパラメータが、基準セルの下りリンク間欠受信（ＤＲＸ）タイミング情報を含むとき、決定ユニット５２は、第１の探索ユニット５２１及び第１の境界決定ユニット５２２を含み、決定ユニット５２の概略構造図が、図７に示されている。図７は、本発明の一実施形態によるデータの境界を決定する装置の第３の概略構造図である。図７は、図５によって示された実施形態に基づく。
【００８４】
第１の探索ユニット５２１は、基準セルのτＤＲＸ１に対応するＦ−ＤＰＣＨにしたがってＨＳ−ＳＣＣＨの境界を探索するように構成され、第１の境界決定ユニット５２２は、第１の探索ユニット５２１によって発見されたＨＳ−ＳＣＣＨの境界を開始点として使用し、ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報をＨＳ−ＤＰＣＣＨの境界情報として決定するように構成される。
【００８５】
オプション的に、上述の実施形態において、ＨＳ−ＤＰＣＣＨの境界情報を決定するために使用され、取得ユニットによって取得されるパラメータは、基準セルと非基準セルとの間のＤＲＸタイミング情報の差ΔτＤＲＸを含み、決定ユニット５２は、第１の計算ユニット５２３、第２の探索ユニット５２４、第２の境界決定ユニット５２５、及び／又は（図において破線で示される）第３の境界決定ユニット５２６を含み、決定ユニット５２の概略構造図が、図８に示されている。図８は、本発明の一実施形態によるデータの境界を決定する装置の第４の概略構造図である。この実施形態が図５に基づくことが、例として用いられ、第１の計算ユニット５２３が、ΔτＤＲＸ及び非基準セルのＤＲＸタイミング情報τＤＲＸ２にしたがって計算を実行して基準セルのＤＲＸタイミング情報τＤＲＸ１を取得するように構成され、第２の探索ユニット５２４が、基準セルのτＤＲＸ１に対応するＦ−ＤＰＣＨにしたがってＨＳ−ＳＣＣＨの境界情報を見つけ出すように構成され、第２の境界決定ユニット５２５が、第２の探索ユニットによって見つけ出されたＨＳ−ＳＣＣＨの境界を開始点として使用し、ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報をＨＳ−ＤＰＣＣＨの境界情報として決定するように構成され、第３の境界決定ユニット５２６が、式、
（外１４）
2015516129.tif 000016
にしたがってＨＳ−ＳＣＣＨの境界情報を取得するように構成され、ここで、記号
（外１５）
2015516129.tif 000017
は、次の整数に切り上げることを意味し、ＣＦＮ＿ＤＲＸとＳ＿ＤＲＸとの両方は、訂正前の非基準セルのＨＳ−ＤＰＣＣＨの値及び／又は非基準セルのＨＳ−ＳＣＣＨの値であり、
（外１６）
2015516129.tif 000018
は、間欠受信のサブフレームのオフセットである。
【００８６】
オプション的に、上述の実施形態に基づいて、ＨＳ−ＤＰＣＣＨの境界情報を決定するために使用され、取得ユニットによって取得されるパラメータは、基準セルの下りリンク間欠受信のオフセットＤＲＸ＿ＯＦＦＳＥＴを含み、決定ユニットは、式、５＊ＣＦＮ＿ＤＲＸ＋Ｓ＿ＤＲＸ＋ＤＲＸ＿ＯＦＦＳＥＴにしたがってＨＳ−ＤＰＣＣＨの境界情報を取得するように特に構成され、ここで、ＣＦＮ＿ＤＲＸは、間欠受信状態におけるコネクション・フレーム番号であり、Ｓ＿ＤＲＸは、間欠受信状態におけるサブフレーム番号であり、ＤＲＸ＿ＯＦＦＳＥＴは、間欠受信のオフセットである。
【００８７】
オプション的に、ＨＳ−ＤＰＣＣＨの境界情報を決定するために使用され、取得ユニットによって取得されるパラメータは、基準セルの上りリンク専有物理制御チャネルＤＰＣＣＨと基準セルの上りリンクＨＳ−ＤＰＣＣＨとの間のタイミングの関係を含み、上りリンクＤＰＣＣＨと上りリンクＨＳ−ＤＰＣＣＨとの間のタイミングの関係は、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又は一片のＨＳ−ＳＣＣＨのデータに関して送信される上りリンクＤＰＣＣＨとＨＳ−ＤＰＣＣＨとの間のタイミングの差であり、決定ユニットは、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又は一片のＨＳ−ＳＣＣＨのデータに関して送信される上りリンクＤＰＣＣＨとＨＳ−ＤＰＣＣＨとの間のタイミングの差の検出を実行して、ＨＳ−ＤＰＣＣＨの境界情報を得るように特に構成される。
【００８８】
オプション的に、取得ユニットによって取得され、ＨＳ−ＤＰＣＣＨの境界情報を決定するために使用されるパラメータは、基準セルと非基準セルとの間のｍの差の情報Δｍを含み、決定ユニットは、第２の計算ユニット５２７、第３の探索ユニット５２８、及び第４の境界決定ユニット５２９を含み、概略構造図が、図９に示されている。図９は、本発明の一実施形態によるデータの境界を決定する装置の第５の概略構造図である。第２の計算ユニット５２７は、式、２５６＊Δｍ＝ΔτＤＲＸ及びΔτＤＲＸ＝非基準セルのτＤＲＸ２−基準セルのτＤＲＸ１にしたがって基準セルのτＤＲＸ１を取得するように構成され、第３の探索ユニット５２８は、基準セルのτＤＲＸ１に対応するＦ−ＤＰＣＨにしたがってＨＳ−ＳＣＣＨの境界情報を見つけ出すように構成され、第４の境界決定ユニット５２９は、第３の探索ユニットによって見つけ出されたＨＳ−ＳＣＣＨの境界を開始点として使用し、ＨＳ−ＳＣＣＨに対応するＣＦＮ＿ＤＲＸ  ｎサブフレームの開始点の後、１２８０チップの時間内で最も近いＨＳ−ＤＰＣＣＨの境界情報をＨＳ−ＤＰＣＣＨの境界情報として決定するように構成される。
【００８９】
この実施形態において、第１の計算ユニット及び第２の計算ユニットは、１つに統合され得、個々にも配備され得、第１の探索ユニット、第２の探索ユニット、及び第３の探索ユニットは、１つに統合され得、個々にも配備され得、第１の境界決定ユニット、第２の境界決定ユニット、第３の境界決定ユニット、及び第４の境界決定ユニットは、１つに統合され得、個々にも配置され得、この実施形態において限定されない。
【００９０】
装置における各ユニットの機能及び役割の特定の実施のプロセスに関しては、上述の方法における対応する実施のプロセスが参照され得、詳細は本明細書においてあらためて説明されない。
【００９１】
データの境界を決定する装置は、ユーザ機器にサービスを提供する基地局において統合され得、又はネットワーク内で個々にも配備され得、この実施形態において限定されない。
【００９２】
したがって、本発明の一実施形態は、指示情報を送信する装置をさらに提供し、指示情報を送信する装置の概略構造図が、図１０に示されている。該装置は、取得ユニット１１及び送信ユニット１２を含み、取得ユニット１１は、基準セルのタイミング情報を取得するか、又は高速専有物理制御チャネル（ＨＳ−ＤＰＣＣＨ）の境界情報を決定するために使用されるパラメータを取得するように構成され、送信ユニット１２は、基準セルのタイミング情報、又は高速専有物理制御チャネル（ＨＳ−ＤＰＣＣＨ）の境界情報を決定するために使用されるパラメータを非基準セルの置かれた基地局に送信するように構成される。
【００９３】
取得ユニットは、受信ユニット及び／又は要求ユニットを含み、受信ユニットは、ネットワークによって送信される基準セルのタイミング情報、又は高速専有物理制御チャネルＨＳ−ＤＰＣＣＨの境界情報を決定するために使用されるパラメータを受信するように構成され、要求ユニットは、基準セルのタイミング情報、又は高速専有物理制御チャネル（ＨＳ−ＤＰＣＣＨ）の境界情報を決定するために使用されるパラメータを取得する要求を基準セルの置かれた基地局に送信し、基準セルによって送信される基準セルのタイミング情報、又はＨＳ−ＤＰＣＣＨの境界情報を決定するために使用されるパラメータを含む応答を受信するように構成される。
【００９４】
取得ユニットによって取得される基準セルのタイミング情報は、基準セルの間欠受信ＤＲＸタイミング情報、及び／又は基準セルの上りリンク専有物理制御チャネルＤＰＣＣＨと基準セルの上りリンクＨＳ−ＤＰＣＣＨとの間のタイミングの関係を含む。
【００９５】
高速専有物理制御チャネル（ＨＳ−ＤＰＣＣＨ）の境界情報を決定するために使用され、取得ユニットによって取得されるパラメータは、基準セルの間欠受信ＤＲＸタイミング情報を含み、ＤＲＸタイミング情報は、フラクショナル専有物理チャネル（Ｆ−ＤＰＣＨ）と高速共有制御チャネル（ＨＳ−ＳＣＣＨ）との間のタイミングのずれ、基準セルと非基準セルとの間のＤＲＸタイミング情報の差ΔτＤＲＸ、基準セルの間欠受信のオフセットＤＲＸ＿ＯＦＦＳＥＴ、及び／又は基準セルと非基準セルとの間のｍの差の情報Δｍである。
【００９６】
基準セルの間欠受信のオフセットＤＲＸ＿ＯＦＦＳＥＴは、式、
（外１７）
2015516129.tif 000019
を使用することによる計算によりネットワークによって取得され、ここで、ΔτＤＲＸは、基準セルと非基準セルとの間のＤＲＸタイミング情報の差である。
【００９７】
装置における各ユニットの機能及び役割の特定の実施のプロセスに関しては、上述の方法における対応する実施のプロセスが参照され得、詳細は本明細書においてあらためて説明されない。
【００９８】
指示情報を送信する装置は、ネットワーク内のＲＮＣにおいて統合され得、又はネットワーク内で個々にも配備され得、この実施形態において限定されない。
【００９９】
本明細書において、第１の及び第２のなどの関係を表す語は、ある主体又は動作を別の主体又は動作と区別するためにのみ使用され、これらの主体又は動作の間にいかなる実際の関係又は順序が存在することも要求又は示唆しないことに留意されたい。さらに、用語「含む（ｉｎｃｌｕｄｅ）」、「含む（ｃｏｍｐｒｉｓｅ）」、又はこれらの任意のその他の変化形は、非排他的な包含をカバーするように意図されており、したがって、要素のリストを含むプロセス、方法、製品、又は装置は、それらの要素を含むだけではなく、明示的に挙げられていないその他の要素も含み、又はそのようなプロセス、方法、製品、若しくは装置に固有の要素をさらに含む。「．．．を含む（ｉｎｃｌｕｄｅｓ  ａ．．．）」が前に置かれた要素は、さらなる限定がない場合、その要素を含むプロセス、方法、製品、又は装置に追加的な同一の要素が存在することを排除しない。
【０１００】
実施形態の上述の説明に基づいて、当業者は、本発明が必要な普遍的なハードウェア・プラットフォームに加えてソフトウェアによって実装されるか、又はハードウェアのみによって実装され得ることをはっきりと理解し得る。ほとんどの状況では、前者が、好ましい実装である。そのような理解に基づいて、本発明の技術的解決策は本質的にソフトウェア製品の形態で実装され得、又は従来技術に寄与する部分がソフトウェア製品の形態で実装され得る。ソフトウェア製品は、ＲＯＭ／ＲＡＭ、磁気ディスク、又は光ディスクなどの可読ストレージ媒体に格納され、本発明の実施形態で説明された方法を実行するように（パーソナル・コンピュータ、サーバ、又はネットワーク・デバイスであり得る）コンピュータ・デバイスに命令するためのいくつかの命令を含む。
【０１０１】
便利で簡潔な説明を目的として、上述の機能モジュールの分割は、単に例として用いられているに過ぎず、上述の機能は、実際の必要に応じて異なる機能モジュールに割り当てられ得、つまり、装置の内部構造が、上述の機能のすべて又は一部を果たすように異なる機能モジュールに分割されることが当業者によってはっきりと理解されるであろう。上述のシステム、装置、及びユニットの詳細な作業プロセスに関しては、上述の方法の実施形態における対応するプロセスが参照され得、詳細は、本明細書においてあらためて説明されない。
【０１０２】
本出願で提供されるいくつかの実施形態において、開示されたシステム、装置、及び方法はその他の手法で実装され得ることを理解されたい。例えば、説明された装置の実施形態は例示的であるに過ぎない。例えば、モジュール又はユニットの分割は、単に論理的な機能の分割であり、実際の実装においては別の分割であり得る。例えば、複数のユニット又は構成要素が、組み合わされるか、若しくは別のシステムに統合され得、又は一部の機能が、無視されるか、若しくは実行されないことがあり得る。さらに、示されたか又は検討された相互の結合又は直接的な結合又は通信接続は、いくつかのインターフェースを通じて実装され得る。装置又はユニットの間の間接的な結合又は通信接続は、電子的、機械的、又はその他の形態で実装され得る。
【０１０３】
別々の部分として説明されたユニットは、物理的に別々であり得、若しくは物理的に別々でないことがあり得、ユニットとして示された部分は、物理的なユニットであり得、若しくは物理的なユニットではないことがあり得、１つの位置に配置され得、又は複数のネットワーク・ユニット上に分散され得る。ユニットの一部又はすべては、実施形態の解決策の目的を達成するための実際の必要性に応じて選択され得る。
【０１０４】
加えて、本出願の実施形態における機能ユニットが、１つの処理ユニットに統合され得、又はユニットのそれぞれが、物理的に独立して存在し得、又は２つ以上のユニットが、１つのユニットに統合される。統合されたユニットは、ハードウェアの形態で実装され得、又はソフトウェア機能ユニットの形態で実装され得る。
【０１０５】
統合されたユニットが、ソフトウェア機能ユニットの形態で実装され、及び販売されるか又は独立した製品として使用されるとき、統合されたユニットは、コンピュータ可読ストレージ媒体に格納され得る。そのような理解に基づいて、本出願の技術的解決策は本質的にソフトウェア製品の形態で実装され得、或いは従来技術、又は技術的解決策のすべて若しくは一部に寄与する部分がソフトウェア製品の形態で実装され得る。ソフトウェア製品は、ストレージ媒体に格納され、本出願の実施形態において説明された方法のステップのすべて又は一部を実行するように（パーソナル・コンピュータ、サーバ、若しくはネットワーク・デバイスであり得る）コンピュータ・デバイス又はプロセッサに命令するためのいくつかの命令を含む。ストレージ媒体は、ＵＳＢフラッシュ・ドライブ、取り外し可能なハード・ディスク、読み出し専用メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、又は光ディスクなどのプログラム・コードを格納することができる任意の媒体を含む。
【０１０６】
上述の実施形態は、本出願を限定するのではなく、本出願の技術的解決策を説明するように意図されているに過ぎない。本出願が上述の実施形態を参照して詳細に説明されているが、当業者は、当業者が、本出願の実施形態の技術的解決策の趣旨及び範囲を逸脱することなく、上述の実施形態で説明された技術的解決策に対する修正を依然として行い得、又はそれらの技術的解決策の一部の技術的な機能に対して均等な置き換えを行い得ることを理解するはずである。
【図１】
2015516129.tif 000027
【図２】
2015516129.tif 000028
【図５】
2015516129.tif 000029
【図６】
2015516129.tif 000030
【図７】
2015516129.tif 000031
【図８】
2015516129.tif 000032
【図９】
2015516129.tif 000033
【図１０】
2015516129.tif 000034
【図３】
2015516129.tif 000035
【図４】
2015516129.tif 000036
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
データの境界を決定する方法であって、
非基準セルの置かれた基地局によって、基準セルのタイミング情報、又は、高速専有物理制御チャネル（ＨＳ−ＤＰＣＣＨ）の境界情報を決定するために使用されるパラメータを取得するステップと、
前記基地局が、前記基準セルの前記タイミング情報又は前記パラメータにしたがって前記ＨＳ−ＤＰＣＣＨの前記境界情報を決定するステップとを含む、方法。
【請求項２】
請求項１に記載の方法であって、
前記基地局が、前記ＨＳ−ＤＰＣＣＨの前記境界情報を決定するために使用される前記パラメータを取得する前記ステップが、特に、
前記基地局が、無線ネットワーク・コントローラによって送信された前記ＨＳ−ＤＰＣＣＨの前記境界情報を決定するために使用される前記パラメータを取得するステップ、又は
前記ＨＳ−ＤＰＣＣＨの前記境界情報を決定するために使用される前記パラメータを受信する要求を前記基地局が無線ネットワーク・コントローラに送信し、前記基地局が、前記無線ネットワーク・コントローラによって送信される前記ＨＳ−ＤＰＣＣＨの前記境界情報を決定するために使用される前記パラメータを含む応答を受信するステップを含む、
方法。
【請求項３】
請求項１に記載の方法であって、
前記基地局が、前記基準セルの前記タイミング情報を取得する前記ステップが、特に、
前記基地局が、無線ネットワーク・コントローラによって送信された前記基準セルの前記タイミング情報を受信するステップ、又は
前記基準セルの前記タイミング情報を取得する要求を前記基地局が無線ネットワーク・コントローラに送信し、前記基地局が、前記無線ネットワーク・コントローラによって送信された前記基準セルの前記タイミング情報を含む応答を受信するステップを含む、
方法。
【請求項４】
請求項１又は３に記載の方法であって、
前記基準セルの前記タイミング情報が、前記基準セルの間欠受信ＤＲＸタイミング情報τＤＲＸ１を含み、前記τＤＲＸ１が、フラクショナル専有物理チャネル（Ｆ−ＤＰＣＨ）と高速共有制御チャネル（ＨＳ−ＳＣＣＨ）との間のタイミングのずれであり、
前記基地局が、前記基準セルの前記タイミング情報にしたがって前記ＨＳ−ＤＰＣＣＨの前記境界情報を決定する前記ステップが、特に、
前記基地局が、前記基準セルの前記τＤＲＸ１に対応するＦ−ＤＰＣＨにしたがって前記ＨＳ−ＳＣＣＨの境界を探索するステップと、
前記基地局が、前記ＨＳ−ＳＣＣＨの見つかった境界を開始点として使用し、前記基地局が、前記ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報を前記ＨＳ−ＤＰＣＣＨの前記境界情報として決定するステップとを含む、
【請求項５】
請求項１又は２に記載の方法であって、
前記ＨＳ−ＤＰＣＣＨの前記境界情報を決定するために使用される前記パラメータが、前記基準セルと前記非基準セルとの間のＤＲＸタイミング情報の差ΔτＤＲＸであり、
前記基地局が、前記パラメータにしたがって前記ＨＳ−ＤＰＣＣＨの前記境界情報を決定する前記ステップが、特に、
前記基地局が、前記ΔτＤＲＸ及び前記基地局自体のＤＲＸタイミング情報τＤＲＸ２にしたがって計算を実行して前記基準セルのＤＲＸタイミング情報τＤＲＸ１を取得し、前記基地局が、前記基準セルの前記τＤＲＸ１に対応するＦ−ＤＰＣＨにしたがってＨＳ−ＳＣＣＨの境界情報を見つけ出し、前記基地局が、前記ＨＳ−ＳＣＣＨの見つかった境界を開始点として使用し、前記基地局が、前記ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報を前記ＨＳ−ＤＰＣＣＨの前記境界情報として決定するステップ、
又は
前記基地局が、式、
（外１８）
2015516129.tif 000037
にしたがって前記ＨＳ−ＤＰＣＣＨの前記境界情報及び／若しくは前記ＨＳ−ＳＣＣＨの境界情報を取得するステップであって、記号
（外１９）
2015516129.tif 000038
が、次の整数に切り上げることを意味し、前記ＣＦＮ＿ＤＲＸと前記Ｓ＿ＤＲＸとの両方が、訂正前の前記非基準セルのＨＳ−ＤＰＣＣＨの値及び／若しくは前記非基準セルのＨＳ−ＳＣＣＨの値であり、前記ＣＦＮ＿ＤＲＸが、間欠受信状態におけるコネクション・フレーム番号であり、前記Ｓ＿ＤＲＸが、前記間欠受信状態におけるサブフレーム番号であり、
（外２０）
2015516129.tif 000039
が、間欠受信のサブフレームのオフセットである、取得するステップを含む、
方法。
【請求項６】
請求項１又は２に記載の方法であって、
前記ＨＳ−ＤＰＣＣＨの前記境界情報を決定するために使用される前記パラメータが、前記基準セルの間欠受信のオフセットＤＲＸ＿ＯＦＦＳＥＴを含み、
前記基地局が、前記パラメータにしたがって前記ＨＳ−ＤＰＣＣＨの前記境界情報を決定する前記ステップが、特に、
前記基地局が、式、５＊ＣＦＮ＿ＤＲＸ＋Ｓ＿ＤＲＸ＋ＤＲＸ＿ＯＦＦＳＥＴにしたがって前記ＨＳ−ＤＰＣＣＨの前記境界情報を取得するステップであって、前記ＣＦＮ＿ＤＲＸが、間欠受信状態におけるコネクション・フレーム番号であり、前記Ｓ＿ＤＲＸが、前記間欠受信状態におけるサブフレーム番号であり、前記ＤＲＸ＿ＯＦＦＳＥＴが、間欠受信のオフセットである、取得するステップを含む、
方法。
【請求項７】
請求項１又は２に記載の方法であって、
前記ＨＳ−ＤＰＣＣＨの前記境界情報を決定するために使用される前記基準セルの前記パラメータが、前記基準セルの上りリンク専有物理制御チャネルＤＰＣＣＨと前記基準セルの上りリンクＨＳ−ＤＰＣＣＨとの間のタイミングの関係を含み、前記上りリンクＤＰＣＣＨと前記上りリンクＨＳ−ＤＰＣＣＨとの間の前記タイミングの関係が、指定された下りリンクＨＳ−ＳＣＣＨのサブフレームに対応する上りリンクＤＰＣＣＨの送信の境界と前記ＨＳ−ＳＣＣＨに関してフィードバックされるＨＳ−ＤＰＣＣＨの境界との間のタイミングの差、又はＨＳ−ＳＣＣＨのデータに関して送信される前記上りリンクＤＰＣＣＨと前記ＨＳ−ＤＰＣＣＨとの間のタイミングの差であり、
前記基地局が、前記パラメータにしたがって前記ＨＳ−ＤＰＣＣＨの前記境界情報を決定する前記ステップが、特に、
前記基地局が、前記指定された下りリンクＨＳ−ＳＣＣＨのサブフレームに対応する前記上りリンクＤＰＣＣＨの送信の境界と前記ＨＳ−ＳＣＣＨに関してフィードバックされる前記ＨＳ−ＤＰＣＣＨの境界との間の前記タイミングの差、又はＨＳ−ＳＣＣＨのデータに関して送信される前記上りリンクＤＰＣＣＨと前記ＨＳ−ＤＰＣＣＨとの間の前記タイミングの差の検出を実行して、前記ＨＳ−ＤＰＣＣＨの前記境界情報を得るステップを含む、
方法。
【請求項８】
請求項１又は２に記載の方法であって、
前記ＨＳ−ＤＰＣＣＨの前記境界情報を決定するために使用される前記パラメータが、前記基準セルと前記非基準セルとの間のｍの差の情報Δｍであり、
前記基地局が、前記パラメータにしたがって前記ＨＳ−ＤＰＣＣＨの前記境界情報を決定する前記ステップが、特に、
前記基地局が、式、２５６＊Δｍ＝ΔτＤＲＸ及びΔτＤＲＸ＝前記非基準セルのτＤＲＸ２−前記基準セルのτＤＲＸ１にしたがって前記基準セルのτＤＲＸ１を取得するステップと、
前記基地局が、前記基準セルの前記τＤＲＸ１に対応するＦ−ＤＰＣＨにしたがってＨＳ−ＳＣＣＨの境界情報を見つけ出すステップと、
前記基地局が、前記ＨＳ−ＳＣＣＨの見つかった境界を開始点として使用し、前記基地局が、前記ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報を前記ＨＳ−ＤＰＣＣＨの前記境界情報として決定するステップとを含む、
方法。
【請求項９】
指示情報を送信する方法であって、
無線ネットワーク・コントローラが、基準セルのタイミング情報、又は高速専有物理制御チャネル（ＨＳ−ＤＰＣＣＨ）の境界情報を決定するために使用されるパラメータを取得するステップと、
無線ネットワーク・コントローラが、非基準セルの置かれた基地局が前記ＨＳ−ＤＰＣＣＨの前記境界情報を決定するように、前記基準セルの前記タイミング情報、又は前記高速専有物理制御チャネル（ＨＳ−ＤＰＣＣＨ）の前記境界情報を決定するために使用される前記パラメータを前記非基準セルの置かれた前記基地局に送信するステップとを含む、方法。
【請求項１０】
請求項９に記載の方法であって、
前記高速専有物理制御チャネル（ＨＳ−ＤＰＣＣＨ）の前記境界情報を決定するために使用される前記パラメータを取得する前記ステップが、
前記無線ネットワーク・コントローラがユーザ機器のためのマルチフロー送信を構成するとき、前記基準セルの置かれた基地局によって送信される前記高速専有物理制御チャネル（ＨＳ−ＤＰＣＣＨ）の前記境界情報を決定するために使用される前記パラメータを前記無線ネットワーク・コントローラが受信するステップ、又は
前記高速専有物理制御チャネル（ＨＳ−ＤＰＣＣＨ）の境界情報を決定するために使用される前記パラメータを取得する要求を前記無線ネットワーク・コントローラが前記基準セルの置かれた前記基地局に送信し、前記基準セルの置かれた前記基地局によって送信される前記高速専有物理制御チャネル（ＨＳ−ＤＰＣＣＨ）の前記境界情報を決定するために使用される前記パラメータを含む応答を前記無線ネットワーク・コントローラが受信するステップを含む、
方法。
【請求項１１】
請求項９に記載の方法であって、
前記基準セルの前記タイミング情報を取得する前記ステップが、
前記無線ネットワーク・コントローラがユーザ機器のためのマルチフロー送信を構成するとき、前記基準セルの置かれた基地局によって送信された前記基準セルの前記タイミング情報を前記無線ネットワーク・コントローラが受信するステップ、又は
前記基準セルの前記タイミング情報を取得する要求を前記無線ネットワーク・コントローラが前記基準セルの置かれた前記基地局に送信し、前記無線ネットワーク・コントローラが、前記基準セルの置かれた前記基地局によって送信された前記基準セルの前記タイミング情報を含む応答を受信するステップを含む、
方法。
【請求項１２】
請求項９又は１１に記載の方法であって、
前記基準セルの前記タイミング情報が、間欠受信ＤＲＸタイミング情報を含む、
方法。
【請求項１３】
請求項９又は１０に記載の方法であって、
前記ＨＳ−ＤＰＣＣＨの前記境界情報を決定するために使用される前記パラメータが、以下、すなわち、前記基準セルと前記非基準セルとの間のＤＲＸタイミング情報の差ΔτＤＲＸ、又は前記基準セルの間欠受信のオフセットＤＲＸ＿ＯＦＦＳＥＴ、又は前記基準セルの上りリンク専有物理制御チャネルＤＰＣＣＨと前記基準セルの上りリンクＨＳ−ＤＰＣＣＨとの間のタイミングの関係、又は前記基準セルと前記非基準セルとの間のｍの差の情報Δｍのうちの少なくとも１つを含む、
方法。
【請求項１４】
請求項１３に記載の方法であって、
前記基準セルの間欠受信の前記オフセットＤＲＸ＿ＯＦＦＳＥＴが、式、
（外２１）
2015516129.tif 000040
を使用することによる計算により前記無線ネットワーク・コントローラによって取得され、前記ΔτＤＲＸが、前記基準セルと前記非基準セルとの間のＤＲＸタイミング情報の差である、
方法。
【請求項１５】
データの境界を決定する装置であって、
基準セルのタイミング情報、又は高速専有物理制御チャネル（ＨＳ−ＤＰＣＣＨ）の境界情報を決定するために使用されるパラメータを取得するように構成された取得ユニットと、
前記基準セルの前記タイミング情報又は前記パラメータにしたがって前記ＨＳ−ＤＰＣＣＨの前記境界情報を決定するように構成された決定ユニットとを含む、装置。
【請求項１６】
請求項１５に記載の装置であって、
前記取得ユニットが、
前記無線ネットワーク・コントローラによって送信される前記基準セルの前記タイミング情報、又は前記ＨＳ−ＤＰＣＣＨの前記境界情報を決定するために使用される前記パラメータを受信するように構成された受信ユニットと、
前記基準セルの前記タイミング情報、又は前記ＨＳ−ＤＰＣＣＨの前記境界情報を決定するために使用される前記パラメータを取得する要求を前記無線ネットワーク・コントローラに送信し、前記無線ネットワーク・コントローラによって送信される前記基準セルの前記タイミング情報、又は前記ＨＳ−ＤＰＣＣＨの前記境界情報を決定するために使用される前記パラメータを含む応答を受信するように構成された要求ユニットとを含む、
装置。
【請求項１７】
請求項１５又は１６に記載の装置であって、
前記取得ユニットによって取得され、前記ＨＳ−ＤＰＣＣＨの前記境界情報を決定するために使用される前記パラメータが、前記基準セルの下りリンク間欠受信（ＤＲＸ）タイミング情報を含むとき、
前記決定ユニットが、
前記基準セルのτＤＲＸ１に対応するＦ−ＤＰＣＨにしたがってＨＳ−ＳＣＣＨの境界を探索するように構成された第１の探索ユニットと、
前記第１の探索ユニットによって発見された前記ＨＳ−ＳＣＣＨの前記境界を開始点として使用し、前記ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報を前記ＨＳ−ＤＰＣＣＨの前記境界情報として決定するように構成された第１の境界決定ユニットとを含む、
装置。
【請求項１８】
請求項１５又は１６に記載の装置であって、
前記取得ユニットによって取得され、前記ＨＳ−ＤＰＣＣＨの前記境界情報を決定するために使用される前記パラメータが、前記基準セルと非基準セルとの間のＤＲＸタイミング情報の差ΔτＤＲＸを含み、
前記決定ユニットが、第１の計算ユニット、第２の探索ユニット、第２の境界決定ユニット、及び／又は第３の境界ユニットを含み、
前記第１の計算ユニットが、前記ΔτＤＲＸ及び前記非基準セルのＤＲＸタイミング情報τＤＲＸ２にしたがって計算を実行して前記基準セルのＤＲＸタイミング情報τＤＲＸ１を取得するように構成され、
前記第２の探索ユニットが、前記基準セルの前記τＤＲＸ１に対応するＦ−ＤＰＣＨにしたがってＨＳ−ＳＣＣＨの境界情報を見つけ出すように構成され、
前記第２の境界決定ユニットが、前記第２の探索ユニットによって見つけ出された前記ＨＳ−ＳＣＣＨの境界を開始点として使用し、前記ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報を前記ＨＳ−ＤＰＣＣＨの前記境界情報として決定するように構成され、
前記第３の境界決定ユニットが、式、
（外２２）
2015516129.tif 000041
にしたがって前記ＨＳ−ＳＣＣＨの前記境界情報を取得するように構成され、記号
（外２３）
2015516129.tif 000042
が、次の整数に切り上げることを意味し、前記ＣＦＮ＿ＤＲＸと前記Ｓ＿ＤＲＸとの両方が、訂正前の前記非基準セルのＨＳ−ＤＰＣＣＨの値及び／又は前記非基準セルのＨＳ−ＳＣＣＨの値であり、前記ＣＦＮ＿ＤＲＸが、間欠受信状態におけるコネクション・フレーム番号であり、前記Ｓ＿ＤＲＸが、前記間欠受信状態におけるサブフレーム番号であり、
（外２４）
2015516129.tif 000043
が、間欠受信のサブフレームのオフセットである、
装置。
【請求項１９】
請求項１５又は１６に記載の装置であって、
前記取得ユニットによって取得され、前記ＨＳ−ＤＰＣＣＨの前記境界情報を決定するために使用される前記パラメータが、前記基準セルの下りリンク間欠受信（ＤＲＸ）のオフセットＤＲＸ＿ＯＦＦＳＥＴを含み、
前記決定ユニットが、特に、式、５＊ＣＦＮ＿ＤＲＸ＋Ｓ＿ＤＲＸ＋ＤＲＸ＿ＯＦＦＳＥＴにしたがって前記ＨＳ−ＤＰＣＣＨの前記境界情報を取得するように構成され、前記ＣＦＮ＿ＤＲＸが、間欠受信状態におけるコネクション・フレーム番号であり、前記Ｓ＿ＤＲＸが、前記間欠受信状態におけるサブフレーム番号であり、前記ＤＲＸ＿ＯＦＦＳＥＴが、間欠受信のオフセットである、
装置。
【請求項２０】
請求項１５又は１６に記載の装置であって、
前記取得ユニットによって取得され、前記ＨＳ−ＤＰＣＣＨの前記境界情報を決定するために使用される前記パラメータが、前記基準セルの上りリンク専有物理制御チャネルＤＰＣＣＨと前記基準セルの上りリンクＨＳ−ＤＰＣＣＨとの間のタイミングの関係を含み、前記上りリンクＤＰＣＣＨと前記上りリンクＨＳ−ＤＰＣＣＨとの間の前記タイミングの関係が、指定された下りリンクＨＳ−ＳＣＣＨのサブフレームに対応する上りリンクＤＰＣＣＨの送信の境界と前記ＨＳ−ＳＣＣＨに関してフィードバックされるＨＳ−ＤＰＣＣＨの境界との間のタイミングの差、又は一片のＨＳ−ＳＣＣＨのデータに関して送信される前記上りリンクＤＰＣＣＨと前記ＨＳ−ＤＰＣＣＨとの間のタイミングの差であり、
前記決定ユニットが、特に、前記指定された下りリンクＨＳ−ＳＣＣＨのサブフレームに対応する前記上りリンクＤＰＣＣＨの送信の境界と前記ＨＳ−ＳＣＣＨに関してフィードバックされる前記ＨＳ−ＤＰＣＣＨの境界との間の前記タイミングの差、又は一片のＨＳ−ＳＣＣＨのデータに関して送信される前記上りリンクＤＰＣＣＨと前記ＨＳ−ＤＰＣＣＨとの間の前記タイミングの差の検出を実行して、前記ＨＳ−ＤＰＣＣＨの前記境界情報を得るように構成される、
装置。
【請求項２１】
請求項１５又は１６に記載の装置であって、
前記取得ユニットによって取得され、前記ＨＳ−ＤＰＣＣＨの前記境界情報を決定するために使用される前記パラメータが、前記基準セルと非基準セルとの間のｍの差の情報Δｍを含み、
前記決定ユニットが、
式、２５６＊Δｍ＝ΔτＤＲＸ及びΔτＤＲＸ＝前記非基準セルのτＤＲＸ２−前記基準セルのτＤＲＸ１にしたがって前記基準セルのτＤＲＸ１を取得するように構成された第２の計算ユニットと、
前記基準セルの前記τＤＲＸ１に対応するＦ−ＤＰＣＨにしたがってＨＳ−ＳＣＣＨの境界情報を見つけ出すように構成された第３の探索ユニットと、
前記第３の探索ユニットによって見つけ出された前記ＨＳ−ＳＣＣＨの境界を開始点として使用し、前記ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報を前記ＨＳ−ＤＰＣＣＨの前記境界情報として決定するように構成された第４の境界決定ユニットとを含む、
装置。
【請求項２２】
指示情報を送信する装置であって、
基準セルのタイミング情報、又は高速専有物理制御チャネル（ＨＳ−ＤＰＣＣＨ）の境界情報を決定するために使用されるパラメータを取得するように構成された取得ユニットと、
前記基準セルの前記タイミング情報、又は前記高速専有物理制御チャネル（ＨＳ−ＤＰＣＣＨ）の前記境界情報を決定するために使用される前記パラメータを非基準セルの置かれた基地局に送信するように構成された送信ユニットとを含む、装置。
【請求項２３】
請求項２２に記載の装置であって、
前記取得ユニットが、
ユーザ機器のためにマルチフロー送信が構成されるとき、前記基準セルの置かれた基地局によって送信される前記タイミング情報、若しくは前記高速専有物理制御チャネル（ＨＳ−ＤＰＣＣＨ）の前記境界情報を決定するために使用される前記パラメータを受信する受信ユニット、及び／又は
前記基準セルの前記タイミング情報、若しくは前記高速専有物理制御チャネル（ＨＳ−ＤＰＣＣＨ）の前記境界情報を決定するために使用される前記パラメータを取得する要求を前記基準セルの置かれた前記基地局に送信し、前記基準セルの置かれた前記基地局によって送信される前記基準セルの前記タイミング情報、若しくは前記高速専有物理制御チャネル（ＨＳ−ＤＰＣＣＨ）の前記境界情報を決定するために使用される前記パラメータを含む応答を受信するように構成された要求ユニットを含む、
装置。
【請求項２４】
請求項２２又は２３に記載の装置であって、
前記取得ユニットによって取得される前記基準セルの前記タイミング情報が、前記基準セルの間欠受信ＤＲＸタイミング情報、及び／又は前記基準セルの上りリンク専有物理制御チャネルＤＰＣＣＨと前記基準セルの上りリンクＨＳ−ＤＰＣＣＨとの間のタイミングの関係を含み、
前記取得ユニットによって取得され、前記高速専有物理制御チャネル（ＨＳ−ＤＰＣＣＨ）の前記境界情報を決定するために使用される前記パラメータが、前記基準セルの前記間欠受信ＤＲＸタイミング情報を含み、前記ＤＲＸタイミング情報が、フラクショナル専有物理チャネル（Ｆ−ＤＰＣＨ）と高速共有制御チャネル（ＨＳ−ＳＣＣＨ）との間のタイミングのずれ、前記基準セルと前記非基準セルとの間のＤＲＸタイミング情報の差ΔτＤＲＸ、前記基準セルの間欠受信のオフセットＤＲＸ＿ＯＦＦＳＥＴ、及び／又は前記基準セルと前記非基準セルとの間のｍの差の情報Δｍである、
装置。
【手続補正２】
【補正対象書類名】明細書
【補正対象項目名】全文
【補正方法】変更
【補正の内容】
【発明の詳細な説明】
【技術分野】
【０００１】
本出願は、２０１２年５月１０日に中国専利局に出願した、「データの境界を決定する方法、指示情報を送信する方法、及びそれらの装置」と題された中国特許出願第２０１２１０１４４２６７．９号の優先権を主張するものであり、この特許出願は、その全体が参照により本明細書に組み込まれる。
【０００２】
本発明は、通信技術の分野に関し、特に、データの境界を決定する方法、指示情報を送信する方法、及びそれらの装置に関する。
【背景技術】
【０００３】
移動体通信技術の発展に伴って、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）において、下りリンク間欠受信（ＤＲＸ、Ｄｉｓｃｏｎｔｉｎｕｏｕｓ  Ｒｅｃｅｐｔｉｏｎ）及びマルチフロー送信（Ｍｕｌｔｉｆｌｏｗ  ｔｒａｎｓｍｉｓｓｉｏｎ）が、別々に導入されている。しかし、下りリンクＤＲＸ及びマルチフロー送信が共存する問題は、現在、解決されるべき技術的課題である。
【０００４】
現在、異なるチャネルの間に決まったタイミングの関係が存在するので、セル側の観点からは、高速専有物理制御チャネル（ＨＳ−ＤＰＣＣＨ、Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）の開始点が、上りリンクのデータを受信するために見つけ出される必要があり、プロトコルの仕様によれば、セルが、高速共有制御チャネル（ＨＳ−ＳＣＣＨ、Ｈｉｇｈ  Ｓｐｅｅｄ  Ｓｈａｒｅｄ  Ｃｏｎｔｒｏｌ  Ｃｈａｎｎｅｌ）の開始点に応じた境界として１２８０チップの時間内で最も近いＨＳ−ＤＰＣＣＨの境界を後ろに戻って見つけ出す必要がある。ＳＦ−ＤＣの機能が、本明細書において例として使用される。ＳＦ−ＤＣの機能においては、特定のタイミングの差を有する２つのサービング・セルが存在し、２つのサービング・セルは、同じ基地局又は異なる基地局内にあり得る。
【０００５】
ＳＦ−ＤＣでは、ＵＥがダウンリンクにおいて２つのセルでデータを受信する必要があるが、上りリンクにおいては、送信は１つのセルでのみ必要とされ、（例えば、基地局間ＳＦ−ＤＣシナリオでは）他方のセルはデータを復調する必要があり、このようにして、ユーザ機器ＵＥ（Ｕｓｅｒ  Ｅｑｕｉｐｍｅｎｔ）側は、下りリンクのデータによって受信されるサブフレーム間の一致関係を指定するように要求される。
【０００６】
ＵＥの基準セル（ｒｅｆｅｒｅｎｃｅ  ｃｅｌｌ）及びセカンダリ・セル（ｓｅｃｏｎｄａｒｙ  ｃｅｌｌ）が定義され得、基準セルは、下りリンク物理チャネルＨＳ−ＰＤＳＣＨと上りリンク物理チャネルＨＳ−ＤＰＣＣＨとの間のタイミングの差が１９２００チップ又は７．５スロットであるセルであり、他方のセルは、セカンダリ・セルであり、又は非基準セルと呼ばれる。例えば、ＵＥの基準セルにおけるＨＳ−ＳＣＣＨのＳ＿ＤＲＸ＝０は、ＵＥの非基準セルにおけるＨＳ−ＳＣＣＨのＳ＿ＤＲＸ＝０に合致し、そして、データの２つのサブフレームを受信した後、ＵＥは、２つのサブフレームのフィードバック情報を対応するＨＳ−ＤＰＣＣＨで同時にフィードバックし、ＨＳ−ＤＰＣＣＨは、ＨＳ−ＳＣＣＨと決まったタイミングの関係を有する。
【０００７】
しかし、基準セルに関して、基準セルによってスケジューリングされるＨＳ−ＳＣＣＨのＳ＿ＤＲＸ＝０データ・サブフレームについて、基準セルは、プロトコルの仕様の「ＨＳ−ＳＣＣＨに対応するＣＦＮ＿ＤＲＸ＝ｎサブフレームの開始点の後、１２８０チップの時間内で最も近いＨＳ−ＤＰＣＣＨの境界」にしたがって、ＨＳ−ＳＣＣＨのＳ＿ＤＲＸ＝０データ・サブフレームの境界としてＨＳ−ＤＰＣＣＨのＳ＿ＤＲＸ＝０サブフレームを見つけ出す。ＨＳ−ＤＰＣＣＨのＳ＿ＤＲＸ＝０サブフレームは、ＨＳ−ＳＣＣＨのＳ＿ＤＲＸ＝０サブフレームのフィードバックを搬送せず、フィードバックは、決まったタイミングにしたがって見つけ出される必要があることに留意されたい。例えば、次のＨＳ−ＤＰＣＣＨのＳ＿ＤＲＸ＝０サブフレームが、ＨＳ−ＳＣＣＨのＳ＿ＤＲＸ＝０サブフレームのフィードバック情報を搬送する。
【０００８】
非基準セルの置かれた基地局に関しても、ＨＳ−ＤＰＣＣＨの境界が、プロトコルの仕様にしたがって見つけ出される。しかし、非基準セルは、ＨＳ−ＤＰＣＣＨのＳ＿ＤＲＸ＝１サブフレームを見つけ出す。しかし、ＵＥ側は２つのセルのＨＳ−ＳＣＣＨのＳ＿ＤＲＸ＝０を同時に受信し、１つのＨＳ−ＤＰＣＣＨを使用することによってフィードバックを行うので、ＵＥと、非基準セルの置かれた基地局との間のＨＳ−ＤＰＣＣＨ情報の理解の不一致が引き起こされ得（つまり、非基準セルの置かれた基地局が、ＨＳ−ＤＰＣＣＨの境界の位置を誤って特定し）、それによって、下りリンクのデータ送信の性能の低下をもたらす。
【発明の概要】
【発明が解決しようとする課題】
【０００９】
従来技術の研究及び実施の過程で、本発明の発明者は、非基準セルの置かれた基地局がＨＳ−ＤＰＣＣＨの正しい境界を見つけることができないことがあり得るために、ＵＥと、非基準セルの置かれた基地局との間で、何らかの下りリンクのデータによって送信される上りリンクのＨＳ−ＤＰＣＣＨの理解の不一致が引き起こされ、結果として、下りリンクのデータの送信性能が低下するという既存の実装方法の技術的課題を発見する。
【課題を解決するための手段】
【００１０】
本発明の実施形態において、非基準セルの置かれた基地局がＨＳ−ＤＰＣＣＨの正確な境界を見つけ出すことができず、それによって、下りリンクのデータ送信の性能の低下をもたらす従来技術の技術的課題を解決するために、データの境界を決定する方法、指示データを送信する方法、及びそれらの装置が提供される。上述の技術的課題を解決するために、本発明の一実施形態は、データの境界を決定する方法を提供し、該方法は、非基準セルの置かれた基地局が、基準セルのタイミング情報を取得するか、又は非基準セルの置かれた基地局が、高速専有物理制御チャネル（ＨＳ−ＤＰＣＣＨ）の境界情報を決定するために使用されるパラメータを取得するステップと、基地局が、基準セルのタイミング情報又はパラメータにしたがってＨＳ−ＤＰＣＣＨの境界情報を決定するステップとを含む。
【００１１】
本発明の一実施形態は、指示情報を送信する方法をさらに提供し、該方法は、基準セルのタイミング情報、又は高速専有物理制御チャネル（ＨＳ−ＤＰＣＣＨ）の境界情報を決定するために使用されるパラメータを取得するステップと、非基準セルの置かれた基地局がＨＳ−ＤＰＣＣＨの境界情報を決定するように、基準セルのタイミング情報、又は高速専有物理制御チャネル（ＨＳ−ＤＰＣＣＨ）の境界情報を決定するために使用されるパラメータを非基準セルの置かれた基地局に送信するステップとを含む。
【００１２】
本発明の一実施形態は、データの境界を決定する装置をさらに提供し、該装置は、基準セルのタイミング情報、又は高速専有物理制御チャネル（ＨＳ−ＤＰＣＣＨ）の境界情報を決定するために使用されるパラメータを取得するように構成された取得ユニットと、基準セルのタイミング情報又はパラメータにしたがってＨＳ−ＤＰＣＣＨの境界情報を決定するように構成された決定ユニットとを含む。
【００１３】
本発明の一実施形態は、指示情報を送信する装置をさらに提供し、該装置は、基準セルのタイミング情報、又は高速専有物理制御チャネル（ＨＳ−ＤＰＣＣＨ）の境界情報を決定するために使用されるパラメータを取得するように構成された取得ユニットと、基準セルのタイミング情報、又は高速専有物理制御チャネル（ＨＳ−ＤＰＣＣＨ）の境界情報を決定するために使用されるパラメータを非基準セルの置かれた基地局に送信するように構成された送信ユニットとを含む。
【００１４】
非基準セルの置かれた基地局が、基準セルのタイミング情報、又は高速専有物理制御チャネル（ＨＳ−ＤＰＣＣＨ）の境界情報を決定するために使用されるパラメータを取得し得るので、ＨＳ−ＤＰＣＣＨの境界情報が、正しく見つけられ得、それによって、下りリンクのデータ送信の性能を向上させることが、上述の技術的解決策から分かるであろう。
【００１５】
本発明の実施形態の技術的解決策をより明瞭に説明するために、以下で、実施形態を説明するために必要とされる添付の図面を簡単に紹介する。明らかに、以下の説明の添付の図面は、本発明のいくつかの実施形態を示すに過ぎず、当業者は、創造的な努力なしにこれらの添付の図面からその他の図面を依然として導き出し得る。
【図面の簡単な説明】
【００１６】
【図１】本発明の一実施形態によるデータの境界を決定する方法のフローチャートある。
【図２】本発明の一実施形態による指示情報を送信する方法のフローチャートある。
【図３】本発明の一実施形態による、ＤＲＸタイミング情報を使用することによってデータの境界を決定するための方法の適用例の図である。
【図４】本発明の一実施形態による、ＤＲＸタイミング情報を使用することによってデータの境界を決定するための別の方法の適用例の図である。
【図５】本発明の一実施形態によるデータの境界を決定する装置の概略構造図である。
【図６】本発明の一実施形態によるデータの境界を決定する装置の第２の概略構造図である。
【図７】本発明の一実施形態によるデータの境界を決定する装置の第３の概略構造図である。
【図８】本発明の一実施形態によるデータの境界を決定する装置の第４の概略構造図である。
【図９】本発明の一実施形態によるデータの境界を決定する装置の第５の概略構造図である。
【図１０】本発明の一実施形態による指示情報を送信する装置の概略構造図である。
【発明を実施するための形態】
【００１７】
以下で、本発明の実施形態における添付の図面を参照して本発明の実施形態における技術的解決策を明瞭に説明する。明らかに、説明される実施形態は、本発明の実施形態のすべてではなく一部に過ぎない。創造的な努力なしに本発明の実施形態に基づいて当業者によって得られるすべてのその他の実施形態は、本発明の保護範囲に入る。本発明のすべての実施形態において、基準セルは、タイミング基準セルであり、非基準セルは、非タイミング基準セルであり、基準セルの置かれた基地局は、タイミング基準セルの置かれた基地局であり、非基準セルの置かれた基地局は、非タイミング基準セルの置かれた基地局である。とりわけ、タイミング基準セルの置かれた基地局及び非タイミング基準セルの置かれた基地局は、異なる基地局である。
【００１８】
加えて、用語「システム」及び「ネットワーク」は、本明細書においては交換可能なように使用され得る。本明細書における用語「及び／又は」は、関連するものを説明するために関連付けの関係を表すに過ぎず、３つの関係が存在し得ることを示す。例えば、Ａ及び／又はＢは、以下の３つの場合、すなわち、Ａのみが存在する、ＡとＢとの両方が存在する、及びＢのみが存在することを表し得る。加えて、本明細書における文字「／」は、概して、関連するものの間の「又は」の関係を示す。
【００１９】
本発明の実施形態においては、ＵＥにサービスを提供するセル（基地局）が、基準セルの置かれた基地局及び非基準セルの置かれた基地局（すなわち、セカンダリ・セルがある基地局）として定義され、基準セルは、ＵＥの下りリンク物理チャネルＨＳ−ＰＤＣＳＨと上りリンク物理チャネルＨＳ−ＤＰＣＣＨとの間のタイミングの差が１９２００チップ又は７．５スロットであるセルであり、基準セルを除くすべてのその他のセルは、非基準セルであり得る。もし、ＵＥの基準セルにおけるＨＳ−ＳＣＣＨのＳ＿ＤＲＸ＝０サブフレームが、ＵＥの非基準セルにおけるＨＳ−ＳＣＣＨのＳ＿ＤＲＸ＝０サブフレームに合致するならば、２つのサブフレームのデータを受信した後、ＵＥは、２つのサブフレームのフィードバック情報を対応するＨＳ−ＤＰＣＣＨで同時にフィードバックし、ＨＳ−ＤＰＣＣＨは、ＨＳ−ＳＣＣＨと決まったタイミングの関係を有する。
【００２０】
実施形態において、ＵＥは、下記のうちのいずれか１つであり得、ＵＥは、固定であるか又はモバイルであり得、固定ＵＥは、特に、端末（ｔｅｒｍｉｎａｌ）、移動局（ｍｏｂｉｌｅ  ｓｔａｔｉｏｎ）、加入者ユニット（ｓｕｂｓｃｒｉｂｅｒ  ｕｎｉｔ）、局（ｓｔａｔｉｏｎ）などであり得、モバイルＵＥは、特に、セルラ電話（ｃｅｌｌｕｌａｒ  ｐｈｏｎｅ）、携帯情報端末（ＰＤＡ、ｐｅｒｓｏｎａｌ  ｄｉｇｉｔａｌ  ａｓｓｉｓｔａｎｔ）、無線モデム（ｍｏｄｅｍ）、無線通信デバイス、ハンドヘルド（ｈａｎｄｈｅｌｄ）、ラップトップ・コンピュータ（ｌａｐｔｏｐ  ｃｏｍｐｕｔｅｒ）、コードレス電話（ｃｏｒｄｌｅｓｓ  ｐｈｏｎｅ）、無線ローカル・ループ（ＷＬＬ、ｗｉｒｅｌｅｓｓ  ｌｏｃａｌ  ｌｏｏｐ）局などであり得、上記のＵＥは、無線ネットワーク全体に分散させられ得る。
【００２１】
図１を参照すると、図１は、本発明の一実施形態によるデータの境界を決定する方法のフローチャートあり、該方法は、以下を含む。
【００２２】
１０１．非基準セルの置かれた基地局が、基準セルのタイミング情報、又は高速専有物理制御チャネル（ＨＳ−ＤＰＣＣＨ）の境界情報を決定するために使用されるパラメータを取得するステップ。
【００２３】
このステップにおいては、能動的な要求及び受動的な受信を含む複数の取得方法がある。例えば、非基準セルの置かれた基地局は、ネットワークによって送信される基準セルのタイミング情報、若しくはＨＳ−ＤＰＣＣＨの境界情報を決定するために使用されるパラメータを受信するか、又は基準セルのタイミング情報、若しくはＨＳ−ＤＰＣＣＨの境界情報を決定するために使用されるパラメータを取得する要求をネットワークに送信し、基準セルのタイミング情報、若しくはＨＳ−ＤＰＣＣＨの境界情報を決定するために使用されるパラメータ、を含むネットワークによって送信される応答を受信する。
【００２４】
１０２．非基準セルの置かれた基地局が、基準セルのタイミング情報又はパラメータにしたがってＨＳ−ＤＰＣＣＨの境界情報を決定するステップ。
【００２５】
本発明のこの実施形態においては、非基準セルの置かれた基地局が、基準セルのタイミング情報、又は高速専有物理制御チャネル（ＨＳ−ＤＰＣＣＨ）の境界情報を決定するために使用されるパラメータを取得することができるので、ＨＳ−ＤＰＣＣＨの境界情報が、正しく見つけられ得、それによって、下りリンクのデータ送信の性能を向上させる。
【００２６】
上述の実施形態においては、１０１において、もし、取得された基準セルのタイミング情報、又は高速専有物理制御チャネル（ＨＳ−ＤＰＣＣＨ）の境界情報を決定するために使用される取得されたパラメータが異なるならば、非基準セルの置かれた基地局がＨＳ−ＤＰＣＣＨの境界情報を決定する方法も異なる。以下の実施形態において、詳細が説明される。
【００２７】
オプション的に、上述の実施形態において、もし、基準セルのタイミング情報が基準セルの下りリンク間欠受信（ＤＲＸ）タイミング情報（τＤＲＸ１）を含み、ＤＲＸタイミング情報がフラクショナル専有物理チャネル（Ｆ−ＤＰＣＨ：ｆｒａｃｔｉｏｎａｌ  ｄｅｄｉｃａｔｅｄ  ｐｈｙｓｉｃａｌ  ｃｈａｎｎｅｌ）と高速共有制御チャネル（ＨＳ−ＳＣＣＨ）との間のタイミングのずれであるならば、非基準セルの置かれた基地局が、基準セルのタイミング情報にしたがってＨＳ−ＤＰＣＣＨの境界情報を決定するステップは、特に、非基準セルの置かれた基地局が、基準セルのτＤＲＸ１に対応するＦ−ＤＰＣＨにしたがってＨＳ−ＳＣＣＨの境界を探索し、非基準セルの置かれた基地局が、ＨＳ−ＳＣＣＨの見つかった境界を開始点として使用し、プロトコルの仕様にしたがって、非基準セルの置かれた基地局が、ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報をＨＳ−ＤＰＣＣＨの境界情報として決定するステップを含む。特定の探索及び決定方法は、当業者によく知られている技術であり、詳細は、本明細書においてあらためて説明されない。
【００２８】
オプション的に、上述の実施形態において、もし、ＨＳ−ＤＰＣＣＨの境界情報を決定するために使用されるパラメータが基準セルと非基準セルとの間のＤＲＸタイミング情報の差ΔτＤＲＸを含むならば、非基準セルが、パラメータにしたがってＨＳ−ＤＰＣＣＨの境界情報を決定するステップは、特に、非基準セルが、ΔτＤＲＸ及びその非基準セル自体のＤＲＸタイミング情報τＤＲＸ２にしたがって計算を実行して、例えば、式、ΔτＤＲＸ＝τＤＲＸ２−τＤＲＸ１などにしたがって基準セルのＤＲＸタイミング情報τＤＲＸ１を取得し、非基準セルが、基準セルのτＤＲＸ１に対応するＦ−ＤＰＣＨにしたがってＨＳ−ＳＣＣＨの境界情報を見つけ出し、プロトコルの仕様にしたがって、非基準セルの置かれた基地局が、ＨＳ−ＳＣＣＨの見つかった境界を開始点として使用し、非基準セルの置かれた基地局が、ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報をＨＳ−ＤＰＣＣＨの境界情報として決定するステップを含む。
【００２９】
本発明の別の実施形態において、非基準セルの置かれた基地局は、式、
（外１）
2015516129.tif 000044
にしたがってＨＳ−ＳＣＣＨの境界情報を取得し、ここで、記号
（外２）
2015516129.tif 000045
は、次の整数に切り上げることを意味し、ＣＦＮ＿ＤＲＸは、間欠受信状態におけるコネクション・フレーム番号（Ｃｏｎｎｅｃｔｉｏｎ  Ｆｒａｍｅ  Ｎｕｍｂｅｒ＿Ｄｉｓｃｏｎｔｉｎｕｏｕｓ  Ｒｅｃｅｐｔｉｏｎ）であり、Ｓ＿ＤＲＸは、間欠受信状態におけるサブフレーム番号（Ｓｕｂ  Ｆｒａｍｅ  Ｎｕｍｂｅｒ＿Ｄｉｓｃｏｎｔｉｎｕｏｕｓ  Ｒｅｃｅｐｔｉｏｎ）であり、ＣＦＮ＿ＤＲＸとＳ＿ＤＲＸとの両方は、訂正前の非基準セルのＨＳ−ＤＰＣＣＨの値及び／又は非基準セルのＨＳ−ＳＣＣＨの値であり、
（外３）
2015516129.tif 000046
は、間欠受信のサブフレームのオフセットである。
【００３０】
オプション的に、この実施形態において、もし、ＨＳ−ＤＰＣＣＨの境界情報を決定するために使用されるパラメータが基準セルの下りリンク間欠受信のオフセットＤＲＸ＿ＯＦＦＳＥＴを含むならば、非基準セルの置かれた基地局が、パラメータにしたがってＨＳ−ＤＰＣＣＨの境界情報を決定するステップは、特に、非基準セルの置かれた基地局が、式、５＊ＣＦＮ＿ＤＲＸ＋Ｓ＿ＤＲＸ＋ＤＲＸ＿ＯＦＦＳＥＴにしたがってＨＳ−ＤＰＣＣＨの境界情報を取得するステップを含み、ここで、ＣＦＮ＿ＤＲＸは、間欠受信状態におけるコネクション・フレーム番号であり、Ｓ＿ＤＲＸは、間欠受信状態におけるサブフレーム番号であり、ＤＲＸ＿ＯＦＦＳＥＴは、間欠受信のオフセットである。
【００３１】
オプション的に、この実施形態において、もし、ＨＳ−ＤＰＣＣＨの境界情報を決定するために使用されるパラメータが基準セルの上りリンク専有物理制御チャネルＤＰＣＣＨと基準セルの上りリンクＨＳ−ＤＰＣＣＨとの間のタイミングの関係（すなわち、ｍ値（ｍ  ｖａｌｕｅ））を含み、上りリンクＤＰＣＣＨと上りリンクＨＳ−ＤＰＣＣＨとの間のタイミングの関係が、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又は一片のＨＳ−ＳＣＣＨのデータに関して送信される上りリンクＤＰＣＣＨとＨＳ−ＤＰＣＣＨとの間のタイミングの差であるならば、非基準セルの置かれた基地局が、パラメータにしたがってＨＳ−ＤＰＣＣＨの境界情報を決定するステップは、特に、非基準セルの置かれた基地局が、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又はＨＳ−ＳＣＣＨのデータに関して送信される上りリンクＤＰＣＣＨとＨＳ−ＤＰＣＣＨとの間のタイミングの差、の検出を実行して、ＨＳ−ＤＰＣＣＨの境界情報を得るステップを含む。
【００３２】
オプション的に、この実施形態において、もし、ＨＳ−ＤＰＣＣＨの境界情報を決定するために使用されるパラメータが基準セルと非基準セルとの間のｍの差の情報Δｍを含むならば、非基準セルの置かれた基地局が、パラメータにしたがってＨＳ−ＤＰＣＣＨの境界情報を決定するステップは、以下のとおりである。
【００３３】
第１に、非基準セルの置かれた基地局が、式、２５６＊Δｍ＝ΔτＤＲＸ及びΔτＤＲＸ＝非基準セルのτＤＲＸ２−基準セルのτＤＲＸ１にしたがって基準セルのτＤＲＸ１を取得し、次いで、非基準セルの置かれた基地局が、基準セルのτＤＲＸ１に対応するＦ−ＤＰＣＨにしたがってＨＳ−ＳＣＣＨの境界情報を見つけ出し、最後に、非基準セルの置かれた基地局が、見つけ出されたＨＳ−ＳＣＣＨの境界を開始点として使用し、ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報をＨＳ−ＤＰＣＣＨの境界情報として決定する。
【００３４】
確かに、上述の実施形態において、間欠受信のタイミング情報を決定するために使用されるパラメータは、上述のパラメータのうちの１種類又は２種類以上を含み得、この実施形態において限定されない。２種類以上が含まれるとき、ＨＳ−ＤＰＣＣＨの境界情報を決定する方法は、対応する方法にしたがって決定され、詳細については上記の説明が参照され得、詳細は本明細書においてあらためて説明されない。
【００３５】
図２を参照すると、図２は、本発明の一実施形態による指示情報を送信する方法のフローチャートであり、該方法は、以下を含む。
【００３６】
２０１．基準セルのタイミング情報、又は高速専有物理制御チャネル（ＨＳ−ＤＰＣＣＨ）の境界情報を決定するために使用されるパラメータを取得するステップ。
【００３７】
このステップにおいては、ネットワークの無線ネットワーク・コントローラ（ＲＮＣ）の複数の取得方法がある。例えば、ネットワーク内のＲＮＣが、ユーザ機器のためのマルチフロー送信を構成するとき、ＲＮＣは、基準セルの置かれた基地局によって送信される、タイミング情報、若しくは高速専有物理制御チャネル（ＨＳ−ＤＰＣＣＨ）の境界情報を決定するために使用されるパラメータを受信するか、又は、ネットワーク内のＲＮＣは、基準セルのタイミング情報、若しくは高速専有物理制御チャネル（ＨＳ−ＤＰＣＣＨ）の境界情報を決定するために使用されるパラメータを取得する要求を基準セルの置かれた基地局に送信し、基準セルの置かれた基地局によって送信される、基準セルのタイミング情報、若しくは高速専有物理制御チャネル（ＨＳ−ＤＰＣＣＨ）の境界情報を決定するために使用されるパラメータを含む応答を受信する。
【００３８】
この実施形態において、基準セルのタイミング情報は、間欠受信ＤＲＸタイミング情報を含むが、間欠受信ＤＲＸタイミング情報に限定されない。その他のタイミング情報も、含まれ得る。
【００３９】
高速専有物理制御チャネル（ＨＳ−ＤＰＣＣＨ）の境界情報を決定するために使用されるパラメータは、以下、すなわち、基準セルと非基準セルとの間のＤＲＸタイミング情報の差ΔτＤＲＸ、又は基準セルの間欠受信のオフセットＤＲＸ＿ＯＦＦＳＥＴ、又は基準セルの上りリンク専有物理制御チャネルＤＰＣＣＨと基準セルの上りリンクＨＳ−ＤＰＣＣＨとの間のタイミングの関係、又は基準セルと非基準セルとの間のｍの差の情報Δｍのうちの少なくとも１つを含む。しかし、該パラメータは、ΔτＤＲＸ、ＤＲＸ＿ＯＦＦＳＥＴ、タイミングの関係、及びΔｍに限定されず、高速専有物理制御チャネル（ＨＳ−ＤＰＣＣＨ）の境界情報を決定するために使用される別のパラメータも、含まれ得る。
【００４０】
オプション的に、基準セルの間欠受信のオフセットＤＲＸ＿ＯＦＦＳＥＴは、式、
（外４）
2015516129.tif 000047
を使用することによる計算によりネットワークによって取得され、ここで、ΔτＤＲＸは、基準セルと非基準セルとの間のＤＲＸタイミング情報の差である。
【００４１】
２０２．非基準セルの置かれた基地局がＨＳ−ＤＰＣＣＨの境界情報を決定するように、基準セルのタイミング情報、又は高速専有物理制御チャネル（ＨＳ−ＤＰＣＣＨ）の境界情報を決定するために使用されるパラメータ、を非基準セルの置かれた基地局に送信するステップ。
【００４２】
このステップにおいては、もし、送信されるメッセージが基準セルのタイミング情報、又は高速専有物理制御チャネル（ＨＳ−ＤＰＣＣＨ）の境界情報を決定するために使用されるパラメータを含むのみならば、ＲＮＣが非基準セルの置かれた基地局に送信する複数の方法がある。
【００４３】
当業者による理解を容易にするために、以降は、特定の応用例を参照して説明される。
【００４４】
１つの種類の実施形態においては、ＲＮＣが基準セルのＤＲＸタイミング情報を取得することが、例として使用される。
【００４５】
第１に、ＲＮＣが、基準セルから基準セルのＤＲＸタイミング情報（すなわち、ΔτＤＲＸ１）を取得し、取得方法は、能動的に要求すること又は受動的に受信することであり得、この実施形態において限定されない。ＤＲＸタイミング情報は、Ｆ−ＤＰＣＨとＨＳ−ＳＣＣＨとの間のタイミングのずれとして定義され、この実施形態において、τＤＲＸ１、τＤＲＸ２、及びΔτＤＲＸの単位は、すべてチップである。
【００４６】
この実施形態において、基準セルは、ＲＮＣがＵＥのためのマルチフロー送信（Ｍｕｌｔｉｆｌｏｗ）を構成するたびにＲＮＣにＤＲＸタイミング情報を報告し得、ＤＲＸタイミング情報は、周期的に又はリアルタイムで報告され得、確かに、基準セルは、ＲＮＣが報告を必要とするときにのみ、基準セルのＤＲＸタイミング情報をＲＮＣに知らせ得る。チャネルのタイミングは、セル（基地局）とＵＥとの間で維持され、セルのクロック・ドリフト（ｃｌｏｃｋ  ｄｒｉｆｔ）、無線インターフェースの送信の遅延の変化、及びその他の要因を伴うので、この種のＤＲＸタイミング情報は、時間とともに変わり得、したがって、この実施形態において、ＲＮＣ側は、さらに、取得されたＤＲＸタイミング情報を適時更新する必要がある。
【００４７】
次いで、ＲＮＣが、非基準セルの置かれた基地局に基準セルのＤＲＸタイミング情報を知らせる。
【００４８】
最後に、非基準セルの置かれた基地局が、基準セルのＤＲＸタイミング情報にしたがってＨＳ−ＤＰＣＣＨの境界情報を決定する。
【００４９】
つまり、基準セルのＤＲＸタイミング情報を知った後、非基準セルの置かれた基地局は、最初に、図３に示されるように基準セルのτＤＲＸ１に対応するＦ−ＤＰＣＨにしたがってＨＳ−ＳＣＣＨの境界を見つけ出し、図３は、本発明の一実施形態による、ＤＲＸタイミング情報を使用することによってデータの境界を決定するための方法の適用例の図である。この実施形態における「ＨＳ−ＳＣＣＨの境界情報」は、ＨＳ−ＤＰＣＣＨのタイミングを探索するために非基準セルの置かれた基地局によって使用され得、下りリンクのデータ送信のスケジューリングのためにさらに使用され得ることに留意されたい。
【００５０】
そして、非基準セルの置かれた基地局は、ＨＳ−ＳＣＣＨに対応するＣＦＮ＿ＤＲＸ＝ｎサブフレームの開始点の後、１２８０チップの時間内で最も近いＨＳ−ＤＰＣＣＨ境界についての情報をＨＳ−ＤＰＣＣＨの境界情報として決定し、結果として、基準セルの置かれた基地局及び非基準セルの置かれた基地局が同じＨＳ−ＤＰＣＣＨの境界を見つけ出すことが、保証され得る。特定の探索プロセスは、当業者によく知られている技術であり、詳細は、本明細書においてあらためて説明されない。
【００５１】
別の実施形態においては、ネットワークが非基準セルの置かれた基地局に基準セルと非基準セルとの間のＤＲＸタイミング情報の差ΔτＤＲＸを知らせる例が、使用される。
【００５２】
第１に、ネットワークが、非基準セルの置かれた基地局に基準セルのＤＲＸタイミング情報の差ΔτＤＲＸ＝τＤＲＸ２−τＤＲＸ１（チップ単位）を知らせ、τＤＲＸは、正又は負であり得ることに留意すべきであり、図３に示されるように、図中のτＤＲＸ１は、Ｆ−ＤＰＣＨが対応するＨＳ−ＳＣＣＨのタイミングの後であるので負の値であり、τＤＲＸ２は、Ｆ−ＤＰＣＨが対応するＨＳ−ＳＣＣＨのタイミングの前であるので正の値である。
【００５３】
次いで、非基準セルの置かれた基地局が、ΔτＤＲＸ及びその基地局自体のＤＲＸタイミング情報τＤＲＸ２にしたがって計算を実行し、基準セルのＤＲＸタイミング情報τＤＲＸ１を得る。
【００５４】
その後、非基準セルの置かれた基地局が、基準セルのτＤＲＸ１に対応するＦ−ＤＰＣＨにしたがってＨＳ−ＳＣＣＨの境界情報を見つけ出す。
【００５５】
図３に示されるように、この実施形態における「ＨＳ−ＳＣＣＨの境界」は、ＨＳ−ＤＰＣＣＨのタイミングを探索するために非基準セルの置かれた基地局によって使用され得、下りリンクのデータ送信のスケジューリングのためにさらに使用され得る。そして、非基準セルの置かれた基地局が、プロトコルにおける「ＨＳ−ＳＣＣＨに対応するＣＦＮ＿ＤＲＸ＝ｎサブフレームの開始点の後、１２８０チップの時間内で最も近いＨＳ−ＤＰＣＣＨの境界についての情報」という規則にしたがってＨＳ−ＤＰＣＣＨの境界を見つけ出し、結果として、基準セルの置かれた基地局及び非基準セルの置かれた基地局が同じＨＳ−ＤＰＣＣＨの境界を見つけ出すことが、保証され得る。
【００５６】
図３において、基準セルの置かれた基地局のＤＲＸタイミング情報は、τＤＲＸ１であり、非基準セルの置かれた基地局のＤＲＸタイミング情報は、τＤＲＸ２である。非基準セルの置かれた基地局は、最初にＳ＿ＤＲＸ＝０を見つけ出し、次いで、対応するＦ−ＤＰＣＨの始まりの境界を見つけ出す。上述のプロセスにしたがって、非基準セルの置かれた基地局は、τＤＲＸ２及びΔτＤＲＸにしたがって基準セルのＤＲＸタイミング情報τＤＲＸ１を取得し得る。非基準セルの置かれた基地局が、プロトコルで定義されるＨＳ−ＳＣＣＨ及びＨＳ−ＤＰＣＣＨのタイミングの規則にしたがって、Ｓ＿ＤＲＸ＝０に対応するＨＳ−ＤＰＣＣＨのサブフレームがＳ＿ＤＲＸ＝０であることを見つけ出すことができ、このようにして、基準セルの置かれた基地局及び非基準セルの置かれた基地局がＨＳ−ＳＣＣＨとＨＳ−ＤＰＣＣＨとの間のサブフレームの一致関係において同じ理解を有することが保証され得ることが、図から分かる。
【００５７】
別の種類の実施形態においては、ネットワーク内のＲＮＣが、やはり、非基準セルの置かれた基地局に基準セルのＤＲＸタイミング情報の差ΔτＤＲＸ＝τＤＲＸ２−τＤＲＸ１を知らせる。しかし、非基準セルの置かれた基地局がＨＳ−ＤＰＣＣＨの境界及び／又はＨＳ−ＳＣＣＨの境界を決定する方法は異なり、具体的には、次のようになる。
非基準セルの置かれた基地局が、式、
（外５）
2015516129.tif 000048
を使用することによってＨＳ−ＤＰＣＣＨの境界を決定する。
【００５８】
式中の記号
（外６）
2015516129.tif 000049
は、次の整数に切り上げることを意味し、例えば、もし、記号内の値が０．５であるならば、計算結果は１であり、もし、記号内の値が１．５であるならば、計算結果は２であり、残りはこのことから推論可能であり、
（外７）
2015516129.tif 000050
は、間欠受信のサブフレームのオフセットであり、ＣＦＮ＿ＤＲＸは、間欠受信状態におけるコネクション・フレーム番号を表し、Ｓ＿ＤＲＸは、間欠受信状態におけるサブフレーム番号を表し、ＣＦＮ＿ＤＲＸとＳ＿ＤＲＸとの両方は、訂正前の非基準セルのＨＳ−ＤＰＣＣＨの値及び／又は非基準セルのＨＳ−ＳＣＣＨの値である。
【００５９】
この実施形態において、上述の式は、主として、チャネルの境界を決定するために使用され、以下の式は、主として、ＵＥのフィードバック情報（つまり、ＣＱＩの位置）を決定するためにＮｏｄｅＢによって使用される。
【００６０】
このとき、ＨＳ−ＤＰＣＣＨがチャネル品質インジケータ（ＣＱＩ：Ｃｈａｎｎｅｌ  Ｑｕａｌｉｔｙ  Ｉｎｄｉｃａｔｏｒ）を送信するための時間は、
ｋ’＝ｋ／（２ｍｓ）として
（外８）
2015516129.tif 000051
であり、ここで、
ｋ’は、ＤＲＸの周期に対応するサブフレームの数であり、ＣＦＮ＿ＤＲＸは、間欠受信状態におけるコネクション・フレーム番号であり、ＵＥ＿ＤＴＸ＿ＤＲＸ＿Ｏｆｆｓｅｔは、ユーザ機器の間欠送信と間欠受信とのオフセットであり、Ｓ＿ＤＲＸは、間欠受信状態におけるサブフレーム番号であり、ＭＯＤは、モジュロ演算である。
【００６１】
さらに、多入力多出力（ＭＩＭＯ：Ｍｕｌｔｉｐｌｅ−Ｉｎｐｕｔ  Ｍｕｌｔｉｐｌｅ−Ｏｕｔｐｕｔ）がネットワーク上でさらに構成されるとき、上記の式が満たされることを前提として、もし、ネットワークが次の式
（外９）
2015516129.tif 000052
をさらに満たすならば、
ＵＥは、タイプＡチャネル品質インジケータ（ｔｙｐｅ  Ａ  ＣＱＩ：ｔｙｐｅ  Ａ  Ｃｈａｎｎｅｌ  Ｑｕａｌｉｔｙ  Ｉｎｄｉｃａｔｏｒ）を送信する必要がある。そうでないならば、ＵＥは、タイプＢ・ＣＱＩを送信し、タイプＡ・ＣＱＩ及びタイプＢ・ＣＱＩの具体的な定義に関しては、３ＧＰＰプロトコル２５．２１２の定義が参照可能であり、詳細は、本明細書においてあらためて説明されず、Ｍ＿ｃｑｉ及び／又はＮ＿ｃｑｉ＿ｔｙｐｅ  Ａは、シグナリングを使用することによってネットワークによりＵＥに送信されるパラメータであり、加えて、式中のその他のパラメータに関しては、上記の説明が参照可能であり、詳細は、本明細書においてあらためて説明されない。
【００６２】
ＨＳ−ＳＣＣＨがＣＱＩを受信するための時間は、
（外１０）
2015516129.tif 000053
であり、ここで、
式中のパラメータの具体的な定義に関しては、上述の対応するパラメータが参照可能であり、詳細は、本明細書においてあらためて説明されない。
【００６３】
別の種類の実施形態においては、ネットワークが、非基準セルの置かれた基地局に基準セルの間欠受信のオフセット（ＤＲＸ＿ＯＦＦＳＥＴ）を知らせ得、ここで、ＤＲＸ＿ＯＦＦＳＥＴは、
（外１１）
2015516129.tif 000054
に等しくあり得るが、
（外１２）
2015516129.tif 000055
に限定されない。
【００６４】
非基準セルの置かれた基地局は、式、５＊ＣＦＮ＿ＤＲＸ＋Ｓ＿ＤＲＸ＋ＤＲＸ＿ＯＦＦＳＥＴを使用することによってＨＳ−ＤＰＣＣＨの境界を取得し、ここで、
ＣＦＮ＿ＤＲＸ及びＳ＿ＤＲＸの定義は、上で示されたとおりであり、ＣＦＮ＿ＤＲＸ及びＳ＿ＤＲＸは、訂正前の非基準セルの値である。
【００６５】
ＨＳ−ＤＰＣＣＨがＣＱＩを送信するための時間は、
ｋ’＝ｋ／（２ｍｓ）として、（（５＊ＣＦＮ＿ＤＲＸ−ＵＥ＿ＤＴＸ＿ＤＲＸ＿Ｏｆｆｓｅｔ＋Ｓ＿ＤＲＸ＋ＤＲＸ＿ＯＦＦＳＥＴ）ＭＯＤ  ｋ’）＝０であり、ここで、
ｋ’は、ＤＲＸの周期に対応するサブフレームの数であり、式中のその他のパラメータは、上で示されたとおりであり、詳細は、本明細書においてあらためて説明されない。
【００６６】
さらに、ＭＩＭＯがネットワーク上にさらに構成されるとき、上記の式が満たされることを前提として、もし、ネットワークが次の式
（外１３）
2015516129.tif 000056
をさらに満たすならば、
ＵＥは、タイプＡ・ＣＱＩを送信する必要がある。そうでないならば、ＵＥは、タイプＢ・ＣＱＩを送信し、タイプＡ・ＣＱＩ及びタイプＢ・ＣＱＩの定義は、３ＧＰＰプロトコル２５．２１２における具体的な定義を有し、パラメータＭ＿ｃｑｉ及び／又はＮ＿ｃｑｉ＿ｔｙｐｅ  Ａは、シグナリングを使用することによってネットワークによりＵＥに送信される。
【００６７】
ＨＳ−ＳＣＣＨがＣＱＩを受信するための時間は、
（（５＊ＣＦＮ＿ＤＲＸ−ＵＥ＿ＤＴＸ＿ＤＲＸ＿Ｏｆｆｓｅｔ＋Ｓ＿ＤＲＸ＋ＤＲＸ＿ＯＦＦＳＥＴ）ＭＯＤ  ＵＥ＿ＤＲＸサイクル）＝０である。
【００６８】
別の種類の実施形態においては、ネットワーク内のＲＮＣが、非基準セルの置かれた基地局に基準セルの上りリンクＤＰＣＣＨと基準セルの上りリンクＨＳ−ＤＰＣＣＨとの間の（ｍ値と呼ばれる）タイミングの関係を知らせることが、例として用いられ、そして、非基準セルの置かれた基地局は、タイミング情報の関係にしたがってＨＳ−ＤＰＣＣＨの境界情報を生成する。
【００６９】
この実施形態においては、ＲＮＣは、基準セルから基準セルのＤＲＸタイミング情報（すなわち、ΔτＤＲＸ）を最初に取得し、取得方法は、能動的に要求すること又は受動的に受信することであり得、この実施形態において限定されない。ＤＲＸタイミング情報は、Ｆ−ＤＰＣＨとＨＳ−ＳＣＣＨとの間のタイミングのずれとして定義され、この実施形態において、τＤＲＸ１、τＤＲＸ２、及びΔτＤＲＸの単位は、すべてチップである。
【００７０】
この実施形態において、ｍ値は、下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差であるか、又は一片のＨＳ−ＳＣＣＨのデータに関して送信される上りリンクＤＰＣＣＨとＨＳ−ＤＰＣＣＨとの間のタイミングの差であると理解され得る。基準セルは、ｍ値にしたがってＨＳ−ＤＰＣＣＨの境界情報を見つけ出し得、次いで、搬送された情報を検出し得、詳細が、図４に示されており、図４は、本発明の一実施形態による、ＤＲＸタイミング情報を使用することによってデータの境界を決定するための別の方法の適用例の図である。
【００７１】
図４においては、基準セルは、ＨＳ−ＳＣＣＨとＨＳ−ＤＰＣＣＨとの間の関連付けの関係を確立するためにｍ値にしたがってτＤＲＸ１を見つけ出し得、基準セルは、非基準セルの置かれた基地局にｍ値を知らせ得、ｍ値は、上りリンクＤＰＣＣＨとＨＳ−ＤＰＣＣＨとの間のタイミングのずれであり、基準セルのｍ値を知った後、非基準セルの置かれた基地局は、ＨＳ−ＳＣＣＨとＨＳ−ＤＰＣＣＨとの間の関連付けの関係を直接計算し得、例えば、図４においては、基準セルが、ＨＳ−ＳＣＣＨのＳ＿ＤＲＸ＝０に対応するＨＳ−ＤＰＣＣＨのＳ＿ＤＲＸ＝０を見つけ出し、このとき、非基準セルの置かれた基地局によって知られているｍ値は、５Ｓ＿ＤＲＸであり、このとき、非基準セルの置かれた基地局は、取得されたｍ値（−５）にしたがってＳ＿ＤＲＸを決定し得、このとき、非基準セルの置かれた基地局及び基準セルの置かれた基地局が一貫した理解を有することが、保証され得る。
【００７２】
図４において示された実施形態と図３において示された実施形態との間の違いは、基準セルの置かれた基地局によって取得されるＤＲＸタイミング情報が異なる点にある。
【００７３】
この実施形態においては、ＲＮＣが、非基準セルの置かれた基地局に基準セルのｍ値を知らせ、このようにして、２つのセルが同じ上りリンクＤＰＣＣＨのタイミングを検出するので、非基準セルの置かれた基地局が、同じＨＳ−ＤＰＣＣＨの境界を見つけ出し得る。
【００７４】
別の種類の実施形態においては、上述の実施形態に基づいて、この実施形態のＲＮＣは、非基準セルの置かれた基地局に、基準セルのＦ−ＤＰＣＨのタイミング情報及び基準セルのＨＳ−ＰＤＳＣＨのタイミング情報、又は基準セルと非基準セルとの間のｍの差の情報をさらに知らせ得る。
【００７５】
非基準セルの置かれた基地局に基準セルのＦ−ＤＰＣＨのタイミング情報及び基準セルのＨＳ−ＰＤＳＣＨのタイミング情報を知らせる方法においては、Ｆ−ＤＰＣＨ及びＨＳ−ＰＤＳＣＨのタイミング情報とｍ値との間に一意の変換関係があるので、ＨＳ−ＤＰＣＣＨの境界を検出するために使用される正しいｍ値情報が、最終的に計算される。
【００７６】
加えて、非基準セルの置かれた基地局に基準セルと非基準セルとの間のｍの差の情報を知らせる方法においては、非基準セルの置かれた基地局が、その基地局自体のｍ値及びｍの差を使用することによって、例えば、式、２５６＊Δｍ＝ΔτＤＲＸを使用することによって計算を実行し、ＨＳ−ＤＰＣＣＨの境界を検出するために使用される正しいｍ値情報が、最終的に計算される。
【００７７】
つまり、この実施形態において説明された２つの解決策は、基準セルのｍ値を直接使用することによる決定の効果と同じ効果を有する。
【００７８】
本発明のこの実施形態においては、非基準セルの置かれた基地局が、基準セルのＤＲＸタイミング情報、又はＨＳ−ＤＰＣＣＨの境界情報を決定するために使用されるパラメータを知らされ、したがって、ＤＲＸタイミング情報又はパラメータにしたがってＨＳ−ＤＰＣＣＨの境界を検出し、それによって、ＨＳ−ＤＰＣＣＨの境界を決定し、下りリンクのデータ送信の性能を向上させることが、上述の実施形態から知られ得る。同時に、非基準セルの置かれた基地局がマルチフロー送信（Ｍｕｌｔｉｆｌｏｗ）の上りリンクのデータを正常に受信することもまた、保証される。
【００７９】
加えて、すべての上述の実施形態は、ＬＴＥ−Ａにおける基地局間ジョイント・スケジューリング（ｊｏｉｎｔ−ｓｃｈｅｄｕｌｉｎｇ）の機能に適用可能であり得、実施のプロセスは、上述の実施形態と同様である。詳細に関しては、上記の説明が参照され得る。
【００８０】
上述の方法の実施のプロセスに基づいて、本発明の一実施形態は、データの境界を決定する装置をさらに提供し、データの境界を決定する装置の概略構造図が、図５に示されており、該装置は、取得ユニット５１及び決定ユニット５２を含み、
取得ユニット５１は、基準セルのタイミング情報、又は高速専有物理制御チャネル（ＨＳ−ＤＰＣＣＨ）の境界情報を決定するために使用されるパラメータを取得するように構成され、決定ユニット５２は、基準セルのタイミング情報又はパラメータにしたがってＨＳ−ＤＰＣＣＨの境界情報を決定するように構成され、ＨＳ−ＤＰＣＣＨの境界情報は、ＨＳ−ＤＰＣＣＨのタイミングを探索するために非基準セルの置かれた基地局によって使用され得るのみでなく、下りリンクのデータ送信のスケジューリングのためにも使用され得る。
【００８１】
取得ユニット５１は、受信ユニット５１１及び要求ユニット５１２を含み、取得ユニット５１の概略構造図が、図６に示されている。図６は、本発明の一実施形態によるデータの境界を決定する装置の第２の概略構造図である。
【００８２】
受信ユニット５１１は、ネットワークによって送信される基準セルのタイミング情報、又はＨＳ−ＤＰＣＣＨの境界情報を決定するために使用されるパラメータを受信するように構成され、要求ユニット５１２は、基準セルのタイミング情報、又はＨＳ−ＤＰＣＣＨの境界情報を決定するために使用されるパラメータ、を取得する要求をネットワークに送信し、ネットワークによって送信される基準セルのタイミング情報、又はＨＳ−ＤＰＣＣＨの境界情報を決定するために使用されるパラメータ、を含む応答を受信するように構成される。
【００８３】
オプション的に、上述の実施形態に基づいて、取得ユニットによって取得され、ＨＳ−ＤＰＣＣＨの境界情報を決定するために使用されるパラメータが、基準セルの下りリンク間欠受信（ＤＲＸ）タイミング情報を含むとき、決定ユニット５２は、第１の探索ユニット５２１及び第１の境界決定ユニット５２２を含み、決定ユニット５２の概略構造図が、図７に示されている。図７は、本発明の一実施形態によるデータの境界を決定する装置の第３の概略構造図である。図７は、図５によって示された実施形態に基づく。
【００８４】
第１の探索ユニット５２１は、基準セルのτＤＲＸ１に対応するＦ−ＤＰＣＨにしたがってＨＳ−ＳＣＣＨの境界を探索するように構成され、第１の境界決定ユニット５２２は、第１の探索ユニット５２１によって発見されたＨＳ−ＳＣＣＨの境界を開始点として使用し、ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報をＨＳ−ＤＰＣＣＨの境界情報として決定するように構成される。
【００８５】
オプション的に、上述の実施形態において、ＨＳ−ＤＰＣＣＨの境界情報を決定するために使用され、取得ユニットによって取得されるパラメータは、基準セルと非基準セルとの間のＤＲＸタイミング情報の差ΔτＤＲＸを含み、決定ユニット５２は、第１の計算ユニット５２３、第２の探索ユニット５２４、第２の境界決定ユニット５２５、及び／又は（図において破線で示される）第３の境界決定ユニット５２６を含み、決定ユニット５２の概略構造図が、図８に示されている。図８は、本発明の一実施形態によるデータの境界を決定する装置の第４の概略構造図である。この実施形態が図５に基づくことが、例として用いられ、第１の計算ユニット５２３が、ΔτＤＲＸ及び非基準セルのＤＲＸタイミング情報τＤＲＸ２にしたがって計算を実行して基準セルのＤＲＸタイミング情報τＤＲＸ１を取得するように構成され、第２の探索ユニット５２４が、基準セルのτＤＲＸ１に対応するＦ−ＤＰＣＨにしたがってＨＳ−ＳＣＣＨの境界情報を見つけ出すように構成され、第２の境界決定ユニット５２５が、第２の探索ユニットによって見つけ出されたＨＳ−ＳＣＣＨの境界を開始点として使用し、ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報をＨＳ−ＤＰＣＣＨの境界情報として決定するように構成され、第３の境界決定ユニット５２６が、式、
（外１４）
2015516129.tif 000057
にしたがってＨＳ−ＳＣＣＨの境界情報を取得するように構成され、ここで、記号
（外１５）
2015516129.tif 000058
は、次の整数に切り上げることを意味し、ＣＦＮ＿ＤＲＸとＳ＿ＤＲＸとの両方は、訂正前の非基準セルのＨＳ−ＤＰＣＣＨの値及び／又は非基準セルのＨＳ−ＳＣＣＨの値であり、
（外１６）
2015516129.tif 000059
は、間欠受信のサブフレームのオフセットである。
【００８６】
オプション的に、上述の実施形態に基づいて、ＨＳ−ＤＰＣＣＨの境界情報を決定するために使用され、取得ユニットによって取得されるパラメータは、基準セルの下りリンク間欠受信のオフセットＤＲＸ＿ＯＦＦＳＥＴを含み、決定ユニットは、式、５＊ＣＦＮ＿ＤＲＸ＋Ｓ＿ＤＲＸ＋ＤＲＸ＿ＯＦＦＳＥＴにしたがってＨＳ−ＤＰＣＣＨの境界情報を取得するように特に構成され、ここで、ＣＦＮ＿ＤＲＸは、間欠受信状態におけるコネクション・フレーム番号であり、Ｓ＿ＤＲＸは、間欠受信状態におけるサブフレーム番号であり、ＤＲＸ＿ＯＦＦＳＥＴは、間欠受信のオフセットである。
【００８７】
オプション的に、ＨＳ−ＤＰＣＣＨの境界情報を決定するために使用され、取得ユニットによって取得されるパラメータは、基準セルの上りリンク専有物理制御チャネルＤＰＣＣＨと基準セルの上りリンクＨＳ−ＤＰＣＣＨとの間のタイミングの関係を含み、上りリンクＤＰＣＣＨと上りリンクＨＳ−ＤＰＣＣＨとの間のタイミングの関係は、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又は一片のＨＳ−ＳＣＣＨのデータに関して送信される上りリンクＤＰＣＣＨとＨＳ−ＤＰＣＣＨとの間のタイミングの差であり、決定ユニットは、指定された下りリンクＨＳ−ＳＣＣＨのサブフレームに対応する上りリンクＤＰＣＣＨの送信の境界とＨＳ−ＳＣＣＨに関してフィードバックされるＨＳ−ＤＰＣＣＨの境界との間のタイミングの差、又は一片のＨＳ−ＳＣＣＨのデータに関して送信される上りリンクＤＰＣＣＨとＨＳ−ＤＰＣＣＨとの間のタイミングの差の検出を実行して、ＨＳ−ＤＰＣＣＨの境界情報を得るように特に構成される。
【００８８】
オプション的に、取得ユニットによって取得され、ＨＳ−ＤＰＣＣＨの境界情報を決定するために使用されるパラメータは、基準セルと非基準セルとの間のｍの差の情報Δｍを含み、決定ユニットは、第２の計算ユニット５２７、第３の探索ユニット５２８、及び第４の境界決定ユニット５２９を含み、概略構造図が、図９に示されている。図９は、本発明の一実施形態によるデータの境界を決定する装置の第５の概略構造図である。第２の計算ユニット５２７は、式、２５６＊Δｍ＝ΔτＤＲＸ及びΔτＤＲＸ＝非基準セルのτＤＲＸ２−基準セルのτＤＲＸ１にしたがって基準セルのτＤＲＸ１を取得するように構成され、第３の探索ユニット５２８は、基準セルのτＤＲＸ１に対応するＦ−ＤＰＣＨにしたがってＨＳ−ＳＣＣＨの境界情報を見つけ出すように構成され、第４の境界決定ユニット５２９は、第３の探索ユニットによって見つけ出されたＨＳ−ＳＣＣＨの境界を開始点として使用し、ＨＳ−ＳＣＣＨに対応するＣＦＮ＿ＤＲＸ＝ｎサブフレームの開始点の後、１２８０チップの時間内で最も近いＨＳ−ＤＰＣＣＨの境界情報をＨＳ−ＤＰＣＣＨの境界情報として決定するように構成される。
【００８９】
この実施形態において、第１の計算ユニット及び第２の計算ユニットは、１つに統合され得、個々にも配備され得、第１の探索ユニット、第２の探索ユニット、及び第３の探索ユニットは、１つに統合され得、個々にも配備され得、第１の境界決定ユニット、第２の境界決定ユニット、第３の境界決定ユニット、及び第４の境界決定ユニットは、１つに統合され得、個々にも配置され得、この実施形態において限定されない。
【００９０】
装置における各ユニットの機能及び役割の特定の実施のプロセスに関しては、上述の方法における対応する実施のプロセスが参照され得、詳細は本明細書においてあらためて説明されない。
【００９１】
データの境界を決定する装置は、ユーザ機器にサービスを提供する基地局において統合され得、又はネットワーク内で個々にも配備され得、この実施形態において限定されない。
【００９２】
したがって、本発明の一実施形態は、指示情報を送信する装置をさらに提供し、指示情報を送信する装置の概略構造図が、図１０に示されている。該装置は、取得ユニット１１及び送信ユニット１２を含み、取得ユニット１１は、基準セルのタイミング情報を取得するか、又は高速専有物理制御チャネル（ＨＳ−ＤＰＣＣＨ）の境界情報を決定するために使用されるパラメータを取得するように構成され、送信ユニット１２は、基準セルのタイミング情報、又は高速専有物理制御チャネル（ＨＳ−ＤＰＣＣＨ）の境界情報を決定するために使用されるパラメータを非基準セルの置かれた基地局に送信するように構成される。
【００９３】
取得ユニットは、受信ユニット及び／又は要求ユニットを含み、受信ユニットは、ネットワークによって送信される基準セルのタイミング情報、又は高速専有物理制御チャネルＨＳ−ＤＰＣＣＨの境界情報を決定するために使用されるパラメータを受信するように構成され、要求ユニットは、基準セルのタイミング情報、又は高速専有物理制御チャネル（ＨＳ−ＤＰＣＣＨ）の境界情報を決定するために使用されるパラメータを取得する要求を基準セルの置かれた基地局に送信し、基準セルによって送信される基準セルのタイミング情報、又はＨＳ−ＤＰＣＣＨの境界情報を決定するために使用されるパラメータを含む応答を受信するように構成される。
【００９４】
取得ユニットによって取得される基準セルのタイミング情報は、基準セルの間欠受信ＤＲＸタイミング情報、及び／又は基準セルの上りリンク専有物理制御チャネルＤＰＣＣＨと基準セルの上りリンクＨＳ−ＤＰＣＣＨとの間のタイミングの関係を含む。
【００９５】
高速専有物理制御チャネル（ＨＳ−ＤＰＣＣＨ）の境界情報を決定するために使用され、取得ユニットによって取得されるパラメータは、基準セルの間欠受信ＤＲＸタイミング情報を含み、ＤＲＸタイミング情報は、フラクショナル専有物理チャネル（Ｆ−ＤＰＣＨ）と高速共有制御チャネル（ＨＳ−ＳＣＣＨ）との間のタイミングのずれ、基準セルと非基準セルとの間のＤＲＸタイミング情報の差ΔτＤＲＸ、基準セルの間欠受信のオフセットＤＲＸ＿ＯＦＦＳＥＴ、及び／又は基準セルと非基準セルとの間のｍの差の情報Δｍである。
【００９６】
基準セルの間欠受信のオフセットＤＲＸ＿ＯＦＦＳＥＴは、式、
（外１７）
2015516129.tif 000060
を使用することによる計算によりネットワークによって取得され、ここで、ΔτＤＲＸは、基準セルと非基準セルとの間のＤＲＸタイミング情報の差である。
【００９７】
装置における各ユニットの機能及び役割の特定の実施のプロセスに関しては、上述の方法における対応する実施のプロセスが参照され得、詳細は本明細書においてあらためて説明されない。
【００９８】
指示情報を送信する装置は、ネットワーク内のＲＮＣにおいて統合され得、又はネットワーク内で個々にも配備され得、この実施形態において限定されない。
【００９９】
本明細書において、第１の及び第２のなどの関係を表す語は、ある主体又は動作を別の主体又は動作と区別するためにのみ使用され、これらの主体又は動作の間にいかなる実際の関係又は順序が存在することも要求又は示唆しないことに留意されたい。さらに、用語「含む（ｉｎｃｌｕｄｅ）」、「含む（ｃｏｍｐｒｉｓｅ）」、又はこれらの任意のその他の変化形は、非排他的な包含をカバーするように意図されており、したがって、要素のリストを含むプロセス、方法、製品、又は装置は、それらの要素を含むだけではなく、明示的に挙げられていないその他の要素も含み、又はそのようなプロセス、方法、製品、若しくは装置に固有の要素をさらに含む。「．．．を含む（ｉｎｃｌｕｄｅｓ  ａ．．．）」が前に置かれた要素は、さらなる限定がない場合、その要素を含むプロセス、方法、製品、又は装置に追加的な同一の要素が存在することを排除しない。
【０１００】
実施形態の上述の説明に基づいて、当業者は、本発明が必要な普遍的なハードウェア・プラットフォームに加えてソフトウェアによって実装されるか、又はハードウェアのみによって実装され得ることをはっきりと理解し得る。ほとんどの状況では、前者が、好ましい実装である。そのような理解に基づいて、本発明の技術的解決策は本質的にソフトウェア製品の形態で実装され得、又は従来技術に寄与する部分がソフトウェア製品の形態で実装され得る。ソフトウェア製品は、ＲＯＭ／ＲＡＭ、磁気ディスク、又は光ディスクなどの可読ストレージ媒体に格納され、本発明の実施形態で説明された方法を実行するように（パーソナル・コンピュータ、サーバ、又はネットワーク・デバイスであり得る）コンピュータ・デバイスに命令するためのいくつかの命令を含む。
【０１０１】
便利で簡潔な説明を目的として、上述の機能モジュールの分割は、単に例として用いられているに過ぎず、上述の機能は、実際の必要に応じて異なる機能モジュールに割り当てられ得、つまり、装置の内部構造が、上述の機能のすべて又は一部を果たすように異なる機能モジュールに分割されることが当業者によってはっきりと理解されるであろう。上述のシステム、装置、及びユニットの詳細な作業プロセスに関しては、上述の方法の実施形態における対応するプロセスが参照され得、詳細は、本明細書においてあらためて説明されない。
【０１０２】
本出願で提供されるいくつかの実施形態において、開示されたシステム、装置、及び方法はその他の手法で実装され得ることを理解されたい。例えば、説明された装置の実施形態は例示的であるに過ぎない。例えば、モジュール又はユニットの分割は、単に論理的な機能の分割であり、実際の実装においては別の分割であり得る。例えば、複数のユニット又は構成要素が、組み合わされるか、若しくは別のシステムに統合され得、又は一部の機能が、無視されるか、若しくは実行されないことがあり得る。さらに、示されたか又は検討された相互の結合又は直接的な結合又は通信接続は、いくつかのインターフェースを通じて実装され得る。装置又はユニットの間の間接的な結合又は通信接続は、電子的、機械的、又はその他の形態で実装され得る。
【０１０３】
別々の部分として説明されたユニットは、物理的に別々であり得、若しくは物理的に別々でないことがあり得、ユニットとして示された部分は、物理的なユニットであり得、若しくは物理的なユニットではないことがあり得、１つの位置に配置され得、又は複数のネットワーク・ユニット上に分散され得る。ユニットの一部又はすべては、実施形態の解決策の目的を達成するための実際の必要性に応じて選択され得る。
【０１０４】
加えて、本出願の実施形態における機能ユニットが、１つの処理ユニットに統合され得、又はユニットのそれぞれが、物理的に独立して存在し得、又は２つ以上のユニットが、１つのユニットに統合される。統合されたユニットは、ハードウェアの形態で実装され得、又はソフトウェア機能ユニットの形態で実装され得る。
【０１０５】
統合されたユニットが、ソフトウェア機能ユニットの形態で実装され、及び販売されるか又は独立した製品として使用されるとき、統合されたユニットは、コンピュータ可読ストレージ媒体に格納され得る。そのような理解に基づいて、本出願の技術的解決策は本質的にソフトウェア製品の形態で実装され得、或いは従来技術、又は技術的解決策のすべて若しくは一部に寄与する部分がソフトウェア製品の形態で実装され得る。ソフトウェア製品は、ストレージ媒体に格納され、本出願の実施形態において説明された方法のステップのすべて又は一部を実行するように（パーソナル・コンピュータ、サーバ、若しくはネットワーク・デバイスであり得る）コンピュータ・デバイス又はプロセッサに命令するためのいくつかの命令を含む。ストレージ媒体は、ＵＳＢフラッシュ・ドライブ、取り外し可能なハード・ディスク、読み出し専用メモリ（Ｒｅａｄ−Ｏｎｌｙ  Ｍｅｍｏｒｙ、ＲＯＭ）、ランダム・アクセス・メモリ（Ｒａｎｄｏｍ  Ａｃｃｅｓｓ  Ｍｅｍｏｒｙ、ＲＡＭ）、磁気ディスク、又は光ディスクなどのプログラム・コードを格納することができる任意の媒体を含む。
【０１０６】
上述の実施形態は、本出願を限定するのではなく、本出願の技術的解決策を説明するように意図されているに過ぎない。本出願が上述の実施形態を参照して詳細に説明されているが、当業者は、当業者が、本出願の実施形態の技術的解決策の範囲を逸脱することなく、上述の実施形態で説明された技術的解決策に対する修正を依然として行い得、又はそれらの技術的解決策の一部の技術的な機能に対して均等な置き換えを行い得ることを理解するはずである。
【国際調査報告】
2015516129.tif 000061
2015516129.tif 000062
2015516129.tif 000063
2015516129.tif 000064